(57)【特許請求の範囲】
【請求項１】
第１および第２の方路を有する光分岐挿入装置であって、
光クロスコネクトと、
前記光クロスコネクトの複数の出力ポートに接続される第１の合波デバイスと、
前記光クロスコネクトの他の複数の出力ポートに接続される第２の合波デバイスと、
前記第１の合波デバイスから出力される光信号の少なくとも一部を含むＷＤＭ光信号を生成して前記第１の方路へ導く第１の波長選択スイッチと、
前記第２の合波デバイスから出力される光信号の少なくとも一部を含むＷＤＭ光信号を生成して前記第２の方路へ導く第２の波長選択スイッチ、を有し、
前記光クロスコネクトは、入力光信号を前記第１の方路へ出力するときは、前記入力光信号を前記第１の合波デバイスに導き、入力光信号を前記第２の方路へ出力するときは、前記入力光信号を前記第２の合波デバイスに導く
ことを特徴とする光分岐挿入装置。
【請求項２】
請求項１に記載の光分岐挿入装置であって、
前記第１および第２の合波デバイスは、それぞれ、光カプラを備える
ことを特徴とする光分岐挿入装置。
【請求項３】
請求項１に記載の光分岐挿入装置であって、
前記第１および第２の合波デバイスは、それぞれ、波長マルチプレクサを備え、
前記波長マルチプレクサの複数の入力ポートには、互いに異なる通過波長が設定されており、
前記光クロスコネクトは、入力光信号を、前記入力光信号の波長に対応する波長マルチプレクサの入力ポートに導く
ことを特徴とする光分岐挿入装置。
【請求項４】
第１および第２の方路を有する光分岐挿入装置であって、
光クロスコネクトと、
前記光クロスコネクトの複数の出力ポートに接続される合波デバイスと、
前記合波デバイスの出力光信号から第１および第２の分岐光信号を生成する光スプリッタと、
前記第１の分岐光信号の少なくとも一部を含むＷＤＭ光信号を生成して前記第１の方路へ導く第１の波長選択スイッチと、
前記第２の分岐光信号の少なくとも一部を含むＷＤＭ光信号を生成して前記第２の方路へ導く第２の波長選択スイッチ、
を備える光分岐挿入装置。
【請求項５】
光クロスコネクトと、
入力ＷＤＭ光信号からドロップ光信号を生成するドロップ信号生成部と、
前記ドロップ光信号を分岐して前記光クロスコネクトの複数の入力ポートに導く光スプリッタと、
前記光クロスコネクトから出力される各ドロップ光信号からそれぞれ指定された波長を抽出する複数の光フィルタ、
を備える光分岐挿入装置。
【請求項６】
請求項５に記載の光分岐挿入装置であって、
前記ドロップ信号生成部は、前記入力ＷＤＭ光信号から２以上の波長を選択することで前記ドロップ光信号を生成する波長選択スイッチを備える
ことを特徴とする波長分岐挿入装置。
【請求項７】
請求項５に記載の光分岐挿入装置であって、
前記ドロップ信号生成部は、前記入力ＷＤＭ光信号を分岐して前記ドロップ光信号として出力する
ことを特徴とする波長分岐挿入装置。
【請求項８】
第１および第２の方路を有する光分岐挿入装置であって、
複数の光クロスコネクトと、
前記第１の方路から入力されるＷＤＭ光信号の少なくとも一部を含む第１のドロップ光信号を分岐して前記複数の光クロスコネクトに導く第１の光スプリッタと、
前記第２の方路から入力されるＷＤＭ光信号の少なくとも一部を含む第２のドロップ光信号を分岐して前記複数の光クロスコネクトに導く第２の光スプリッタと、
前記複数の光クロスコネクトから出力される前記第１および第２のドロップ光信号からそれぞれ指定された波長の光信号を抽出する複数の光フィルタ、
を備える光分岐挿入装置。
【請求項９】
第１および第２の方路を有する光分岐挿入装置であって、
前記第１の方路から入力されるＷＤＭ光信号の少なくとも一部および前記第２の方路から入力されるＷＤＭ光信号の少なくとも一部を合波する光カプラと、
前記光カプラから出力される光信号を波長ごとに分波して複数の光信号を生成する波長デマルチプレクサと、
前記波長デマルチプレクサにより得られる複数の光信号の送信先を切り替える光クロスコネクト、
を備える光分岐挿入装置。
【請求項１０】
請求項１に記載の光分岐挿入装置であって、
前記第１の波長選択スイッチは、複数の入力ポートおよび１つの出力ポートを備え、
前記第２の波長選択スイッチは、複数の入力ポートおよび１つの出力ポートを備える
ことを特徴とする光分岐挿入装置。
【請求項１１】
請求項１０に記載の光分岐挿入装置であって、
前記第１の波長選択スイッチは、前記第１の波長選択スイッチが備える複数の入力ポートを介して入力される互いに波長の異なる複数の光信号を合波して、前記第１の波長選択スイッチの出力ポートを介して出力し、
前記第２の波長選択スイッチは、前記第２の波長選択スイッチが備える複数の入力ポートを介して入力される互いに波長の異なる複数の光信号を合波して、前記第２の波長選択スイッチの出力ポートを介して出力する
ことを特徴とする光分岐挿入装置。
【発明の詳細な説明】
【技術分野】
【０００１】
本発明は、ＷＤＭシステムにおいて使用される光分岐挿入装置に係わる。
【背景技術】
【０００２】
ネットワーク上の情報量が増大し、ＷＤＭ（Wavelength Division Multiplexing）システムが普及してきている。ＷＤＭは、複数の波長を利用して複数の光信号を多重化して送信する。このため、ＷＤＭシステムにおいては、波長多重数を増やすことにより、伝送容量は増加する。
【０００３】
ＷＤＭシステムにおいては、全てのまたは一部の光ノードが光分岐挿入装置（ＯＡＤＭ：Optical Add-Drop Multiplexer）を備えている。光分岐挿入装置は、光伝送路に波長単位で光信号を挿入し、光伝送路から波長単位で光信号を取り出すことができる。すなわち、光分岐挿入装置は、ＷＤＭ光信号に所望の波長の光信号を挿入する光アド装置（または、光アド機能）、およびＷＤＭ光信号から所望の波長の光信号を分岐する光ドロップ装置（または、光ドロップ機能）を備えている。なお、所望の波長の光信号を挿入および／または分岐する光分岐挿入装置は、ＲＯＡＤＭ（Reconfigurable Optical ADM）と呼ばれることがある。
【０００４】
関連する技術として、下記の光伝送装置が提案されている。光伝送装置は、分岐・挿入すべき光信号のうち、一部の光信号についての分岐・挿入動作を行う第１の可変波長選択フィルタと、第１の可変波長選択フィルタで選択されなかった、分岐・挿入すべき光信号について分岐・挿入動作を行う第２の可変波長選択フィルタとの少なくとも２つの可変波長選択フィルタを備える。（例えば、特許文献１）
【０００５】
他の関連技術として、下記の光分岐挿入装置が提案されている。光分岐挿入装置は、挿入される光信号の波長と同じ波長の光信号をスルー信号から取り除く構成として、ドロップ型ＡＯＴＦ（Acousto-Optic Tunable Filter）を使用する。ドロップ型ＡＯＴＦは、常に全波長を選択するように、ＲＦ信号を入力しておき、リジェクトしたい波長に対してのみ、ＲＦ信号を入力しないようにする。これにより、ＲＦ信号が停止された波長の光信号は、ドロップ型ＡＯＴＦにより選択されなくなり、スルー出来なくなる。（例えば、特許文献２）
【０００６】
さらに他の関連技術として、任意の波長成分の光信号を分岐挿入するＲＯＡＤＭ端局装置が提案されている。ＲＯＡＤＭ端局装置は、他のＲＯＡＤＭ端局装置との間で、光信号の任意の波長成分を授受するための光スイッチング部と、光信号を分岐挿入するためのＯＳＣ（Optical Supervisor Channel）制御情報を生成するＯＳＣ制御情報生成部と、ＯＳＣ制御情報を他のＲＯＡＤＭ端局装置と授受するためのＯＳＣ制御情報入出力Ｉ／Ｆとを有する。（例えば、特許文献３）
【０００７】
さらに他の関連技術として、入力される総てのチャンネルに対して追加／脱落機能の実行が可能であり、且つ、高い自由度を有する波長選択スイッチが提案されている。この波長選択スイッチは、入力光信号を各々のチャンネルに対応する波長別に分割し、各々のチャンネルに対して入力光信号から分割された光信号又は追加ポートを介して入力された光信号を選択して出力する光逆多重化部と、電流供給又は電圧印加によって光逆多重化部から受信した各チャンネルごとの光信号を個別的に偏向する光偏向部と、光偏向部の偏向によって特定の出力ポートに前記各チャンネルごとの光信号を出力する光多重化部とにより構成される。（例えば、特許文献４）
【先行技術文献】
【特許文献】
【０００８】
【特許文献１】特開平１１−２８９２９６号公報
【特許文献２】特開２００５−３４８２７０号公報
【特許文献３】特開２００９−２０６７０７号公報
【特許文献４】特開２００９−１４５８６９号公報
【発明の概要】
【発明が解決しようとする課題】
【０００９】
光分岐挿入装置は、波長パスを柔軟に設定または変更できる構成を有していることが好ましい。例えば、光分岐挿入装置は、Colorless、Directionless、Contentionlessであることが好ましい。
【００１０】
Colorlessは、光分岐挿入装置の任意のポートに任意の波長を入力でき、任意のポートから任意の波長を出力できる構成または機能を意味する。Directionlessは、光分岐挿入装置が複数の方路を有する構成において、各端局からの光信号を任意の方路に導くことができ、各方路からの光信号を任意の端局に導くことができる構成または機能を意味する。Contentionlessは、光分岐挿入装置内で同一波長の光信号の衝突を回避する構成または機能を意味する。
【００１１】
ところが、従来の光分岐挿入装置においては、波長パスを柔軟に設定または変更できない。すなわち、従来の光分岐挿入装置では、所望の波長パスを設定できないことがある。例えば、従来の光分岐挿入装置においては、ある端局から送信される光信号を第１の方路へ出力する状態から、その光信号を第２の方路へ出力する状態に切り替えるときに、光ファイバを接続するポートの変更が必要となることがある。
【００１２】
したがって、本発明の課題は、波長パスを柔軟に設定または変更できる光分岐挿入装置を提供することである。
【課題を解決するための手段】
【００１３】
本発明の１つの態様の光分岐挿入装置は、第１および第２の方路を有すると共に、光クロスコネクトと、前記光クロスコネクトの複数の出力ポートに接続される第１の合波デバイスと、前記光クロスコネクトの他の複数の出力ポートに接続される第２の合波デバイスと、前記第１の合波デバイスから出力される光信号の少なくとも一部を含むＷＤＭ光信号を生成して前記第１の方路へ導く第１の波長選択スイッチと、前記第２の合波デバイスから出力される光信号の少なくとも一部を含むＷＤＭ光信号を生成して前記第２の方路へ導く第２の波長選択スイッチ、を備える。
【００１４】
本発明の他の態様の光分岐挿入装置は、光クロスコネクトと、入力ＷＤＭ光信号からドロップ光信号を生成するドロップ信号生成部と、前記ドロップ光信号を分岐して前記光クロスコネクトの複数の入力ポートに導く光スプリッタと、前記光クロスコネクトから出力される各ドロップ光信号からそれぞれ指定された波長を抽出する複数の光フィルタ、を備える。
【発明の効果】
【００１５】
本出願において開示される方法または構成によれば、波長パスを柔軟に設定または変更できる光分岐挿入装置が実現される。
【図面の簡単な説明】
【００１６】
【図１】実施形態の光分岐挿入装置が使用されるネットワークシステムの構成を示す図である。
【図２】実施形態の光分岐挿入装置の構成を示す図である。
【図３】アド機能を実現する構成について説明する図（その１）である。
【図４】アド機能を実現する構成について説明する図（その２）である。
【図５】アド機能を実現する構成について説明する図（その３）である。
【図６】アド機能を実現する構成について説明する図（その４）である。
【図７】ドロップ機能を実現する構成について説明する図（その１）である。
【図８】ドロップ機能を実現する構成について説明する図（その２）である。
【図９】ドロップ機能を実現する構成について説明する図（その３）である。
【図１０】ドロップ機能を実現する構成について説明する図（その４）である。
【図１１】アド動作の第１の実施例を示す図である。
【図１２】アド動作で使用される光クロスコネクトの構成を示す図である。
【図１３】アド動作の第２の実施例を示す図である。
【図１４】アド動作の第３の実施例を示す図である。
【図１５】アド動作の第４の実施例を示す図である。
【図１６】アド動作の第５の実施例を示す図である。
【図１７】ドロップ動作の第１の実施例を示す図である。
【図１８】ドロップ動作で使用される光クロスコネクトの構成を示す図である。
【図１９】ドロップ動作の第２の実施例を示す図である。
【図２０】ドロップ動作の第３の実施例を示す図である。
【図２１】ドロップ動作の第４の実施例を示す図である。
【図２２】ドロップ動作の第５の実施例を示す図である。
【図２３】ドロップ動作の第６の実施例を示す図である。
【図２４】ドロップ動作の第７の実施例を示す図である。
【図２５】８−Ｄｅｇｒｅｅ光分岐挿入装置の第１の実施例を示す図（その１）である。
【図２６】８−Ｄｅｇｒｅｅ光分岐挿入装置の第１の実施例を示す図（その２）である。
【図２７】８−Ｄｅｇｒｅｅ光分岐挿入装置の第２の実施例を示す図である。
【図２８】８−Ｄｅｇｒｅｅ光分岐挿入装置の第３の実施例を示す図（その１）である。
【図２９】８−Ｄｅｇｒｅｅ光分岐挿入装置の第３の実施例を示す図（その２）である。
【図３０】８−Ｄｅｇｒｅｅ光分岐挿入装置の第４の実施例を示す図である。
【発明を実施するための形態】
【００１７】
図１は、実施形態の光分岐挿入装置が使用されるネットワークシステムの構成を示す図である。光分岐挿入装置（ＯＡＤＭ：Optical Add-Drop Multiplexer）は、光ノード内に設けられる。また、光分岐挿入装置は、１または複数の所望の波長の光信号をＷＤＭ光信号に挿入（Add）する機能、およびＷＤＭ光信号から１または複数の所望の波長の光信号を分岐（Drop）する機能を備える。
【００１８】
図１（ａ）に示すネットワークシステムは、双方向リングネットワークであり、４台の光ノード＃１〜＃４を備えている。すなわち、各光ノード間は、１組の時計回り光伝送路および反時計回り光伝送路で接続されている。時計回り光伝送路および反時計回り光伝送路は、それぞれ、ＷＤＭ光信号を伝送する。各光ノード＃１〜＃４は、それぞれ光分岐挿入装置を備えている。
【００１９】
各光ノードまたは各光分岐挿入装置を基準として、ある方向に向かって伸びる光伝送路を「方路」と呼ぶことにする。例えば、光ノード＃１（または、光ノード＃１の光分岐挿入装置）は、方路＃１および方路＃２を有している。方路＃１は、光ノード＃４に接続されている。そして、方路＃１には、光ノード＃４から光ノード＃１へＷＤＭ光信号を伝送する光伝送路（入方路）、および光ノード＃１から光ノード＃４へＷＤＭ光信号を伝送する光伝送路（出方路）が設定されている。また、方路＃２は、光ノード＃２に接続されている。そして、方路＃２には、光ノード＃２から光ノード＃１へＷＤＭ光信号を伝送する光伝送路（入方路）、および光ノード＃１から光ノード＃２へＷＤＭ光信号を伝送する光伝送路（出方路）が設定されている。
【００２０】
上記構成のネットワークシステムにおいて、例えば、端局Ａから端局Ｂへデータを送信する際には、光ノード＃１は、端局Ａから送信される光信号を、方路＃１へ出力する。このとき、端局Ａは、例えば、波長λ１を利用してデータを搬送する光信号を送信する。そうすると、光ノード＃１の光分岐挿入装置は、端局Ａから送信される光信号を、光ノード＃２から光ノード＃４へ伝送されるＷＤＭ光信号に挿入する。そして、光ノード＃４の光分岐挿入装置は、そのＷＤＭ光信号から波長λ１の光信号を分岐して端局Ｂへ導く。これにより、端局Ａから送信されるデータは、端局Ｂにより受信される。
【００２１】
端局Ｃから端局Ａへデータを送信する際には、端局Ｃは、例えば、波長λ２を利用してデータを搬送する光信号を送信する。そうすると、光ノード＃２の光分岐挿入装置は、端局Ｃから送信される光信号を、光ノード＃３から光ノード＃１へ伝送されるＷＤＭ光信号に挿入する。このＷＤＭ光信号は、方路＃２から光ノード＃１に入力される。そして、光ノード＃１の光分岐挿入装置は、そのＷＤＭ光信号をから波長λ２の光信号を分岐して端局Ａへ導く。これにより、端局Ｃから送信されるデータは、端局Ａにより受信される。
【００２２】
図１（ａ）に示すネットワークシステムでは、各光分岐挿入装置は、それぞれ２本の方路を有している。ただし、実施形態の光分岐挿入装置は、より多くの方路を有するようにしてもよい。例えば、図１（ｂ）に示すネットワークシステムでは、光ノード＃５の光分岐挿入装置は、４本の方路＃１〜＃４を有している。このとき、光ノード＃５の光分岐挿入装置は、端局Ｄから送信される任意の波長の光信号を、任意の方路へ出力することができる。また、光ノード＃５の光分岐挿入装置は、任意の方路から任意の波長の光信号を分岐して端局Ｄへ転送することができる。
【００２３】
光分岐挿入装置が備える方路の数は、「Degree」でカウントされることがある。たとえば、図１（ａ）に示す各光分岐挿入装置は、２本の方路を有しているので、2-degreeと呼ばれることがある。また、図１（ｂ）に示す光ノード＃５の光分岐挿入装置は、４本の方路を有しているので、4-degreeと呼ばれることがある。
【００２４】
図２は、実施形態の光分岐挿入装置１の構成を示す図である。図２に示す例では、光分岐挿入装置１は、２本の方路（EAST方路およびWEST方路）を有している。EAST方路は、１組の入方路および出方路を含む。同様に、WEST方路も、１組の入方路および出方路を含む。
【００２５】
光アンプ１１Ｅは、EAST方路から入力されるＷＤＭ光信号を増幅し、EAST方路へ出力されるＷＤＭ光信号を増幅する。同様に、光アンプ１１Ｗは、WEST方路から入力されるＷＤＭ光信号を増幅し、WEST方路へ出力されるＷＤＭ光信号を増幅する。光アンプ１１Ｅ、１１Ｗの利得は、予め計算されてもよいし、動的に制御されるようにしてもよい。
【００２６】
光スプリッタ（ＳＰＬ）１２Ｅは、EAST方路から入力されるＷＤＭ光信号を分岐し、波長選択スイッチ（ＷＳＳ：Wavelength Selective Switch）１３Ｗおよびドロップ用波長選択スイッチ（ｄ−ＷＳＳ）１４Ｅに導く。同様に、光スプリッタ（ＳＰＬ）１２Ｗは、WEST方路から入力されるＷＤＭ光信号を分岐し、波長選択スイッチ（ＷＳＳ）１３Ｅおよびドロップ用波長選択スイッチ（ｄ−ＷＳＳ）１４Ｗに導く。光スプリッタ１２Ｅ、１２Ｗの分岐比は、例えば、光分岐挿入装置１の構成に応じて設計される。これらの波長選択スイッチには、選択した各光信号の出力レベルを揃える機能を有するものを配置してもよい。
【００２７】
ドロップ用波長選択スイッチ１４Ｅは、光スプリッタ１２Ｅから導かれてくるＷＤＭ光信号から、波長パス制御部２により指定される１または複数の波長の光信号を選択する。同様に、ドロップ用波長選択スイッチ１４Ｗは、光スプリッタ１２Ｗから導かれてくるＷＤＭ光信号から、波長パス制御部２により指定される１または複数の波長の光信号を選択する。ここで、ドロップ用波長選択スイッチ１４Ｅが選択する波長、およびドロップ用波長選択スイッチ１４Ｗが選択する波長は、互いに異なっていてもよいし、互いに同じであってもよいし、互いに一部が重複していてもよい。
【００２８】
光スプリッタ（ＳＰＬ）１５Ｅは、ドロップ用波長選択スイッチ１４Ｅにより選択された光信号を分岐する。同様に、光スプリッタ（ＳＰＬ）１５Ｗは、ドロップ用波長選択スイッチ１４Ｗにより選択された光信号を分岐する。
【００２９】
光クロスコネクト（ＯＸＣ：Optical Cross Connect）１６は、Ｎ個の入力ポートおよびＮ個の出力ポートを備える。Ｎ個の入力ポートのうちのｍ１個の入力ポートには、それぞれ光スプリッタ１５Ｅにより得られる光信号が入力される。この場合、ｍ１個の入力ポートには、互いに同じ光信号が入力される。同様に、Ｎ個の入力ポートのうちの他のｍ２個の入力ポートには、それぞれ光スプリッタ１５Ｗにより得られる光信号が入力される。この場合、ｍ２個の入力ポートには、互いに同じ光信号が入力される。そして、光クロスコネクト１６は、各入力光信号を、それぞれ波長パス制御部２によって指定される出力ポートへ導く。光クロスコネクトは、光電変換を行わずにすべて光でクロスコネクトを行う全光クロスコネクトであってもよい。
【００３０】
チューナブルフィルタ（ＴＦ）１７＃１〜１７＃ｎは、それぞれ、光クロスコネクト１６の対応する出力ポートから出力される光信号をフィルタリンングする。ここで、チューナブルフィルタ１７＃１〜１７＃ｎは、それぞれ、指定された波長以外の波長成分を除去する。チューナブルフィルタ１７＃１〜１７＃ｎの通過波長は、特に限定されるものではないが、互いに異なっている。例えば、チューナブルフィルタ１７＃１、１７＃ｎの通過波長をそれぞれλ１、λｎとする。このとき、λ１〜λ５を含むＷＤＭ光信号がチューナブルフィルタ１７＃１に入力すると、λ１の光信号が抽出される。また、λ１〜λ５を含むＷＤＭ光信号がチューナブルフィルタ１７＃ｎに入力すると、λｎの光信号が抽出される。
【００３１】
ただし、チューナブルフィルタ１７＃１〜１７＃ｎは、互いに重複する通過波長を含んでもよい。また、チューナブルフィルタ１７＃１〜１７＃ｎの通過波長は、波長パス制御部２によって指定されてもよい。
【００３２】
トランスポンダ（ＴＰ）３１＃１〜３１＃ｎは、それぞれ、対応するチューナブルフィルタ１７＃１〜１７＃ｎから出力される光信号を、対応する端局へ転送する。このとき、トランスポンダ３１＃１〜３１＃ｎは、必要に応じて、光信号の波長を変換する。なお、トランスポンダ３１＃１〜３１＃ｎから出力される光信号の波長は、互いに同じでもよいし、互いに異なってもよい。
【００３３】
トランスポンダ（ＴＰ）３２＃１〜３２＃ｎは、それぞれ、対応する端局から送信される光信号を、対応するチューナブルフィルタ２１＃１〜２１＃ｎへ転送する。このとき、トランスポンダ３２＃１〜３２＃ｎは、必要に応じて、光信号の波長を変換する。なお、各端局から送信される光信号の波長は、互いに同じでもよいし、互いに異なってもよい。また、トランスポンダ３２＃１〜３２＃ｎから出力される光信号の波長は、特に限定されるものではないが、互いに異なるようにしてもよい。
【００３４】
チューナブルフィルタ（ＴＦ）２１＃１〜２１＃ｎは、対応するトランスポンダ３２＃１〜３２＃ｎから出力される光信号をフィルタリングする。ここで、チューナブルフィルタ２１＃１〜２１＃ｎは、それぞれ、指定された波長以外の波長成分を除去する。チューナブルフィルタ２１＃１〜２１＃ｎの通過波長は、例えば、互いに異なるように設定される。
【００３５】
ただし、チューナブルフィルタ２１＃１〜２１＃ｎは、互いに重複する通過波長を含んでもよい。また、チューナブルフィルタ２１＃１〜２１＃ｎの通過波長は、波長パス制御部２によって指定されてもよい。
【００３６】
光クロスコネクト（ＯＸＣ）２２は、Ｎ個の入力ポートおよびＮ個の出力ポートを備える。Ｎ個の入力ポートには、チューナブルフィルタ２１＃１〜２１＃ｎによりフィルタリングされた光信号が入力される。そして、光クロスコネクト２２は、各入力光信号を、それぞれ波長パス制御部２により指定される出力ポートへ導く。
【００３７】
光カプラ（ＣＰＬ）２３Ｅは、光クロスコネクト２２の出力ポートから出力される光信号を合波する。また、光カプラ（ＣＰＬ）２３Ｗは、光クロスコネクト２２の他の出力ポートから出力される光信号を合波する。
【００３８】
アド用波長選択スイッチ（ａ−ＷＳＳ）２４Ｅは、光カプラ２３Ｅから導かれてくる光信号から、波長パス制御部２により指定される１または複数の波長の光信号を選択する。同様に、アド用波長選択スイッチ（ａ−ＷＳＳ）２４Ｗは、光カプラ２３Ｗから導かれてくる光信号から、波長パス制御部２により指定される１または複数の波長の光信号を選択する。アド用波長選択スイッチ２４Ｅが選択する波長、およびアド用波長選択スイッチ２４Ｗが選択する波長は、互いに異なっていてもよいし、互いに同じであってもよいし、互いに一部が重複してもよい。
【００３９】
波長選択スイッチ１３Ｅは、波長パス制御部２による制御に従って、WEST方路から光スプリッタ１２Ｗを介して導かれてくる光信号およびアド用波長選択スイッチ２４Ｅから導かれてくる光信号から、EAST方路へ出力するＷＤＭ光信号を生成する。このとき、波長選択スイッチ１３Ｅは、WEST方路から光スプリッタ１２Ｗを介して導かれてくる光信号から、光分岐挿入装置１を「通過（スルー）」する１または複数の任意の波長を選択する。また、波長選択スイッチ１３Ｅは、アド用波長選択スイッチ２４Ｅから導かれてくる光信号から、ＷＤＭ光信号に「挿入」する１または複数の任意の波長を選択する。
【００４０】
同様に、波長選択スイッチ１３Ｗは、波長パス制御部２による制御に従って、EAST方路から光スプリッタ１２Ｅを介して導かれてくる光信号およびアド用波長選択スイッチ２４Ｗから導かれてくる光信号から、WEST方路へ出力するＷＤＭ光信号を生成する。このとき、波長選択スイッチ１３Ｗは、EAST方路から光スプリッタ１２Ｅを介して導かれてくる光信号から、光分岐挿入装置１を「通過」する１または複数の任意の波長を選択する。また、波長選択スイッチ１３Ｗは、アド用波長選択スイッチ２４Ｗから導かれてくる光信号から、ＷＤＭ光信号に「挿入」する１または複数の任意の波長を選択する。
【００４１】
波長パス制御部２は、ユーザまたはネットワーク管理者からの指示に応じて、波長選択スイッチ１３Ｅ、１３Ｗ、ドロップ用波長選択スイッチ１４Ｅ、１４Ｗ、アド用波長選択スイッチ２４Ｅ、２４Ｗが選択する波長を指示する。また、波長パス制御部２は、ユーザまたはネットワーク管理者からの指示に応じて、光クロスコネクト１６、２２のスイッチングを制御する。さらに、波長パス制御部２は、ユーザまたはネットワーク管理者からの指示に応じて、チューナブルフィルタ１７＃１〜１７＃ｎ、２１＃１〜２１＃ｎの通過波長を制御する。
【００４２】
波長パス制御部２は、例えば、プロセッサおよびメモリを備える。メモリには、光分岐挿入装置１のアド動作およびドロップ動作を記述したプログラムが格納されるようにしてもよい。この場合、プロセッサは、メモリに格納されているプログラムを実行することにより、光信号のアド動作およびドロップ動作を提供する。また、波長パス制御部２は、ユーザまたはネットワーク管理者との間のインタフェースを提供してもよい。
【００４３】
上記構成の光分岐挿入装置１において、光スプリッタ１２Ｅおよびドロップ用波長選択スイッチ１４Ｅは、EAST方路から入力されるＷＤＭ光信号からドロップ光信号を生成するドロップ信号生成部として動作する。同様に、光スプリッタ１２Ｗおよびドロップ用波長選択スイッチ１４Ｗは、WEST方路から入力されるＷＤＭ光信号からドロップ光信号を生成するドロップ信号生成部として動作する。なお、ドロップ信号生成部は、必ずしもドロップ用波長選択スイッチ１４Ｅ、１４Ｗを備えなくてもよい。また、ドロップ信号生成部は、他の構成で実現されてもよい。
【００４４】
図２に示す例では、光分岐挿入装置１は、２本の方路（EAST方路およびWEST方路）を備えているが、光分岐挿入装置１が備える方路の数は、特に限定されるものではない。すなわち、光分岐挿入装置１は、より多くの方路を備えるようにしてもよい。また、図２に示す例では、光分岐挿入装置１は、１つの光クロスコネクトＯＸＣ（drop）１６および１つの光クロスコネクトＯＸＣ（add）２２を備えているが、光分岐挿入装置１が備える光クロスコネクトの数は、特に限定されるものではない。すなわち、光分岐挿入装置１は、複数のドロップ用光クロスコネクトおよび複数のアド用光クロスコネクトを備えてもよい。光分岐挿入装置１が備える光クロスコネクトの数は、例えば、各光クロスコネクトのポート数、トランスポンダのチャネル数などに応じて設計される。
【００４５】
図３は、光分岐挿入装置１のアド機能を実現する構成について説明する図である。図３（ａ）において、光クロスコネクト２２の入力ポートには、チューナブルフィルタ２１＃１〜２１＃ｎが接続されている。この例では、チューナブルフィルタ２１＃１〜２１＃ｎの通過波長は、それぞれλ１〜λｎである。
【００４６】
上記構成において、光クロスコネクト２２は、任意の入力ポートの光信号を任意の出力ポートに導くことができる。例えば、波長λ１の光信号をEAST方路へ出力する指示が与えられると、光クロスコネクト２２は、チューナブルフィルタ２１＃１を介して入力する光信号を光カプラ２３Ｅへ導く。このとき、光クロスコネクト２２は、上記光信号を、光カプラ２３Ｅに接続されている複数の出力ポートの中の任意の１つに導く。そうすると、光カプラ２３Ｅは、波長λ１の光信号および他の波長の光信号を合波する。そして、光カプラ２３Ｅから出力されるアド光信号は、図２に示すアド用波長選択スイッチ２４Ｅおよび波長選択スイッチ１３Ｅにより選択され、EAST方路へ出力されるＷＤＭ光信号に挿入される。
【００４７】
また、波長λ１の光信号をWEST方路へ出力する指示が与えられると、光クロスコネクト２２は、チューナブルフィルタ２１＃１を介して入力する光信号を光カプラ２３Ｗへ導く。このとき、光クロスコネクト２２は、上記光信号を、光カプラ２３Ｗに接続されている複数の出力ポートの中の任意の１つに導く。そうすると、光カプラ２３Ｗは、波長λ１の光信号および他の波長の光信号を合波する。そして、光カプラ２３Ｗから出力されるアド光信号は、図２に示すアド用波長選択スイッチ２４Ｗおよび波長選択スイッチ１３Ｗにより選択され、WEST方路へ出力されるＷＤＭ光信号に挿入される。
【００４８】
このように、光分岐挿入装置１においては、光クロスコネクト２２、アド用波長選択スイッチ２４Ｅ、２４Ｗおよび波長選択スイッチ１３Ｅ、１３Ｗの動作を適切に制御することにより、波長λ１の光信号を所望の方路に出力することができる。すなわち、光分岐挿入装置１においては、波長λ１の光信号を出力する方路を切り替える際に、光デバイス間の光ファイバの接続を変更する必要はない。したがって、Directionlessが実現される。
【００４９】
また、光分岐挿入装置１においては、例えば、波長の異なる複数の光信号をEAST方路へ出力する場合には、それら複数の光信号は、光クロスコネクト２２により光カプラ２３Ｅに導かれる。そして、光カプラ２３Ｅは、それら複数の光信号を合波してEAST方路へ導く。ここで、光カプラの入力ポートは、波長依存性を有していない。すなわち、光カプラ２３Ｅ、２３Ｗは、それぞれ「各入力ポートには、それぞれ予め決められた特定の波長の光信号が入力されなければならない」という構成ではない。よって、波長の異なる複数の光信号が光カプラ２３Ｅ、２３Ｗに導かれる場合、各光信号は、それぞれ任意の入力ポートに入力することができる。すなわち、この構成によれば、Colorlessが実現される。
【００５０】
ただし、端局またはトランスポンダから送信される光信号のスペクトル幅は、必ずしも狭くない。例えば、端局またはトランスポンダが信号光源として安価なレーザを使用している場合は、光信号のスペクトル幅は広くなる。そして、各光信号のスペクトル幅が広いときは、図３（ｂ）に示すように、隣接する波長の光信号のスペクトルが互いに重なり合うことがある。この場合、光カプラを用いて複数の光信号を合波すると、それらの光信号間で干渉が発生するおそれがある。
【００５１】
そこで、光分岐挿入装置１は、各光信号のスペクトル幅を狭くするために、チューナブルフィルタ２１＃１〜２１＃ｎを備える。チューナブルフィルタ２１＃１〜２１＃ｎの通過波長幅は、それぞれ十分に狭いものとする。そうすると、チューナブルフィルタ２１＃１〜２１＃ｎから出力される光信号のスペクトルは、図３（ｃ）に示すように、互いに重なり合わない。したがって、光カプラを用いて複数の光信号を合波しても、光信号間の干渉は防止または抑制される。
【００５２】
このように、実施形態の光分岐挿入装置１は、方路ごとに光カプラを備える。図２および図３（ａ）に示す例では、２本の方路（EAST方路、WEST方路）に対して２つの光カプラ（２３Ｅ、２３Ｗ）が設けられている。
【００５３】
図４は、光分岐挿入装置１のアド機能を実現する他の構成について説明する図である。図２に示す例では、光クロスコネクト２２から出力される複数の光信号は、光カプラ（２３Ｅ、２３Ｗ）によって合波される。すなわち、複数の光信号を合波する合波デバイスとして光カプラが使用される。しかし、複数の光信号を合波する合波デバイスは、他の方法で実現されてもよい。すなわち、複数の光信号を合波する合波デバイスは、例えば、図４に示す波長マルチプレクサ４１で実現されてもよい。
【００５４】
波長マルチプレクサ４１は、入力ポート毎に、それぞれ異なる通過波長を有する光フィルタを備えている。図４に示す例では、入力ポートＰ１、Ｐ２、Ｐ３、．．．、Ｐｎに対して設けられている光フィルタの通過波長は、それぞれλ１、λ２、λ３、．．．、λｎである。この場合、例えば、波長λ１の光信号は入力ポートＰ１に入力されなければならず、波長λ２の光信号は入力ポートＰ２に入力されなければならない。このように、波長マルチプレクサ４１の入力ポートは、波長依存性を有している。
【００５５】
ところが、図４に示す構成では、波長マルチプレクサ４１の入力側に光クロスコネクト２２が設けられている。そして、例えば、端局（または、トランスポンダ）Ａから波長λ１の光信号が送信されるときは、光クロスコネクト２２は、その光信号を波長マルチプレクサ４１の入力ポートＰ１に導く。また、端局Ａから波長λ３の光信号が送信されるときは、光クロスコネクト２２は、その光信号を波長マルチプレクサ４１の入力ポートＰ３に導く。すなわち、この構成によれば、端局（または、トランスポンダ）から送信される光信号の波長が変わっても、その光信号は波長マルチプレクサ４１の適切な入力ポートに導かれる。したがって、この構成によっても、Colorlessが実現される。
【００５６】
なお、図４に示す例では、波長マルチプレクサ４１が１つだけ描かれているが、図２に示す構成を実現するためには、光カプラ２３Ｅ、２３Ｗに対応する２つの波長マルチプレクサを設けるようにしてもよい。すなわち、図４に示す波長マルチプレクサ４１は、光分岐挿入装置が備える方路ごとに設けられてもよい。また、図４に示す構成では、波長マルチプレクサ４１内に光フィルタ（λ１〜λｎ）が内蔵されているので、図２に示すチューナブルフィルタ２１＃１〜２１＃ｎは、設けなくてもよい。
【００５７】
図５は、光分岐挿入装置１のアド機能を実現するさらに他の構成について説明する図である。図２に示す例では、光クロスコネクト２２の出力側において、方路毎に光カプラが設けられている。すなわち、EAST方路に対して光カプラ２３Ｅが設けられ、WEST方路に対して光カプラ２３Ｗが設けられている。これに対して、図５に示す構成では、複数の方路に対して１つの合波デバイス４２が設けられる。ここで、合波デバイス４２は、複数の光信号を合波する光カプラ（２３Ｅ、２３Ｗ）または波長マルチプレクサ（４１）に相当する。
【００５８】
図５に示す構成では、合波デバイス４２から出力される光信号は、光スプリッタ４３により分岐されて各方路に導かれる。例えば、図５に示す構成が図２に示す光分岐挿入装置１に適用されるときは、光スプリッタ４３は、合波デバイス４２の出力光信号を分岐してアド用波長選択スイッチ２４Ｅ、２４Ｗに導く。この場合、アド用波長選択スイッチ２４Ｅは、EAST方路に出力する光信号の波長を選択し、アド用波長選択スイッチ２４Ｗは、WEST方路に出力する光信号の波長を選択する。この構成によれば、方路ごとに合波デバイス４２（実施例では、光カプラまたは波長マルチプレクサ）を設ける必要はない。
【００５９】
図６は、光分岐挿入装置１のアド機能を実現するさらに他の構成について説明する図である。図２に示す光クロスコネクト２２は、図６に示す構成では、複数の光クロスコネクト４４＃１〜４４＃ｍにより実現されている。光カプラ４５＃１〜４５＃ｋは、図２に示す構成と同様に、方路ごとに設けられている。そして、各光カプラ４５＃１〜４５＃ｋには、それぞれ、各光クロスコネクト４４＃１〜４４＃ｍから出力される１以上の光信号が導かれる。一例としては、光カプラ４５＃１には、各光クロスコネクト４４＃１〜４４＃ｍの各１番目の出力ポートから出力される光信号が導かれる。また、光カプラ４５＃ｋには、各光クロスコネクト４４＃１〜４４＃ｍの各ｋ番目の出力ポートから出力される光信号が導かれる。
【００６０】
図７は、光分岐挿入装置１のドロップ機能を実現する構成について説明する図である。光分岐挿入装置１においては、EAST方路から入力されるＷＤＭ光信号からドロップ用波長選択スイッチ１４Ｅにより複数の波長が選択されると、光スプリッタ１５Ｅには選択された波長を含むドロップ光信号が入力される。この場合、光スプリッタ１５Ｅにより生成される複数のドロップ光信号は、光クロスコネクト１６の異なる入力ポートに導かれる。これらのドロップ光信号は、それぞれ、波長パス制御部２により指定されるチューナブルフィルタ１７＃１〜１７＃ｎに導かれる。WEST方路から入力されるＷＤＭ光信号についても同様である。
【００６１】
各チューナブルフィルタ１７＃１〜１７＃ｎは、光クロスコネクト１６から導かれてくるドロップ光信号から、所望の波長（例えば、波長パス制御部２により指定される波長）を選択する。したがって、この構成によれば、任意の方路から入力されるＷＤＭ信号から任意の波長の光信号を抽出して対応する端局（または、トランスポンダ）に転送することができる。
【００６２】
図８は、光分岐挿入装置１のドロップ機能を実現する他の構成について説明する図である。図２に示す構成では、ドロップ用波長選択スイッチ１４Ｅ、１４Ｗにより複数の波長が選択されると、光クロスコネクト１６には、ＷＤＭ光信号が入力される。そして、光クロスコネクト１６は、そのＷＤＭ光信号を指定されたチューナブルフィルタに導き、各チューナブルフィルタがそれぞれ指定された波長の光信号を抽出する。
【００６３】
図８に示す構成では、光クロスコネクト１６の入力側に波長デマルチプレクサ４６を備える。波長デマルチプレクサ４６は、ドロップ光信号を波長ごとに分波する。すなわち、波長デマルチプレクサ４６は、出力ポート毎に、それぞれ異なる通過波長を有する光フィルタを備えている。図８に示す例では、出力ポートＰ１、Ｐ２、Ｐ３、．．．、Ｐｎに対して設けられている光フィルタの通過波長は、それぞれλ１、λ２、λ３、．．．、λｎである。このように、波長デマルチプレクサ４６の出力ポートは、波長依存性を有している。
【００６４】
光クロスコネクト１６は、各入力ポートの光信号を任意の出力ポートに導くことができる。例えば、端局（または、トランスポンダ）Ｂへ波長λ１の光信号を送信するときは、光クロスコネクト１６は、波長デマルチプレクサ４６の出力ポートＰ１から出力される光信号を端局Ｂへ導く。また、端局（または、トランスポンダ）Ｂへ波長λ３の光信号を送信するときは、光クロスコネクト１６は、波長デマルチプレクサ４６の出力ポートＰ３から出力される光信号を端局Ｂへ導く。すなわち、この構成によれば、端局（または、トランスポンダ）は、所望の波長の光信号を受信できる。
【００６５】
なお、図８に示す例では、波長デマルチプレクサ４６が１つだけ描かれているが、図２に示す構成を実現するためには、光スプリッタ１５Ｅ、１５Ｗに対応する２つの波長デマルチプレクサを設けるようにしてもよい。すなわち、図８に示す波長デマルチプレクサ４６は、光分岐挿入装置が備える方路毎に設けられてもよい。また、図８に示す構成においては、波長デマルチプレクサ４６内に光フィルタ（λ１〜λｎ）が内蔵されているので、図２に示すチューナブルフィルタ１７＃１〜１７＃ｎは、設けなくてもよい。
【００６６】
図９は、光分岐挿入装置１のドロップ機能を実現するさらに他の構成について説明する図である。図９に示す構成では、各方路のＷＤＭ光信号から選択された波長の光信号は、光カプラ４７によりいったん合波される。また、波長デマルチプレクサ４６は、光カプラ４７により合波された光信号を波長ごとに分波する。そして、光クロスコネクト１６は、各波長の光信号をそれぞれ指定された端局（または、トランスポンダ）へ導く。したがって、この構成によっても、任意の方路のＷＤＭ光信号から任意の波長の光信号を抽出して所望の端局へ導くことができる。
【００６７】
図１０は、光分岐挿入装置１のドロップ機能を実現するさらに他の構成について説明する図である。図２に示す光クロスコネクト１６は、図１０に示す構成では、複数の光クロスコネクト４９＃１〜４９＃ｍにより実現されている。光スプリッタ４８＃１〜４８＃ｋは、図２に示す構成と同様に、方路ごとに設けられている。そして、各光スプリッタ４８＃１〜４８＃ｋの出力光信号は、それぞれ、各光クロスコネクト４９＃１〜４９＃ｍに導かれる。一例としては、光スプリッタ４８＃１の出力光信号は、光クロスコネクト４９＃１〜４９＃ｍの各１番目の入力ポートに導かれる。また、光スプリッタ４８＃ｋの出力光信号は、光クロスコネクト４９＃１〜４９＃ｍの各ｋ番目の入力ポートに導かれる。
【００６８】
＜アド動作およびドロップ動作の実施例＞
次に、光分岐挿入装置１のアド動作およびドロップ動作の実施例を説明する。以下の説明では、光分岐挿入装置１は、２本の方路（EAST方路およびWEST方路）を有しているものとする。すなわち、光分岐挿入装置１は、2-degree構成である。なお、実施例の変形として、3-degree以上の構成を採用することができる。その例として、8-degree構成の実施例を後述する。
【００６９】
図１１は、光分岐挿入装置１のアド動作の第１の実施例を示す図である。ここでは、図面を見やすくするために、光アンプ１１Ｅ、１１Ｗ、波長選択スイッチ１３Ｅ、１３Ｗ、チューナブルフィルタ２１＃１〜２１＃ｎ、光クロスコネクト２２、光カプラ２３Ｅ、２３Ｗ、アド用波長選択スイッチ２４Ｅ、２４Ｗのみが描かれている。
【００７０】
光クロスコネクト２２は、この実施例では、複数の光クロスコネクト２２＃１、２２＃２、．．．を備えている。各光クロスコネクト２２＃１、２２＃２、．．．は、この例では、それぞれ、８入力−８出力構成である。また、光カプラ２３Ｅ、２３Ｗは、この例では、それぞれ、複数の光カプラを含んでいる。
【００７１】
上記構成の光分岐挿入装置１において、光信号Ａ、Ｂ、Ｅ、ＦをWEST方路へ出力し、光信号Ｃ、Ｄ、Ｇ、ＨをEAST方路に出力するものとする。光信号Ａ、Ｂ、Ｅ、Ｆの波長は、それぞれ、λ２、λ１、λ３、λ４である。また、光信号Ａ、Ｂ、Ｅ、Ｆは、それぞれ、光クロスコネクト２２＃１の入力ポートＰ１、Ｐ２、光クロスコネクト２２＃２の入力ポートＰ２、Ｐ３に入力される。一方、光信号Ｃ、Ｄ、Ｇ、Ｈの波長は、それぞれ、λ５、λ１、λ４、λ２である。また、光信号Ｃ、Ｄ、Ｇ、Ｈは、それぞれ、光クロスコネクト２２＃１の入力ポートＰ３、Ｐ４、光クロスコネクト２２＃２の入力ポートＰ５、Ｐ６に入力される。
【００７２】
なお、光信号Ａ〜Ｈは、それぞれ、端局から送信され、対応するチューナブルフィルタ２１＃１〜２１＃ｎを介して光クロスコネクト２２＃１、２２＃２に入力される。また、各端局とチューナブルフィルタ２１＃１〜２１＃ｎとの間には、それぞれトランスポンダが設けられる。
【００７３】
光クロスコネクト２２＃１は、光信号ＡをWEST方路に出力するために、入力ポートＰ１の光信号Ａを光カプラ２３Ｗに導く。ここで、光カプラ２３Ｗは、光クロスコネクト２２＃１の出力ポートＰ１に接続されている。よって、光クロスコネクト２２＃１は、光信号Ａを入力ポートＰ１から出力ポートＰ１に導く。また、光クロスコネクト２２＃１は、光信号ＢをWEST方路に出力するために、入力ポートＰ２の光信号Ｂを光カプラ２３Ｗに導く。すなわち、光クロスコネクト２２＃１は、光信号Ｂを入力ポートＰ２から出力ポートＰ１に導く。これにより、光クロスコネクト２２＃１は、光信号Ａ、Ｂを合波して光カプラ２３Ｗに出力する。
【００７４】
図１２は、光クロスコネクト２２＃１の構成を示す図である。光クロスコネクト２２＃１は、各入力ポートに対してそれぞれ１×８スイッチ（ＳＷ）を備え、各出力ポートに対してそれぞれ８×１カプラ（ＣＰＬ）を備える。１×８スイッチは、波長パス制御部２からの制御信号に従って、入力光信号を指定された出力ポートに導く。このとき、波長パス制御部２は、同じ波長の光信号が同じ出力ポートに導かれないように波長パスを決定する。また、８×１カプラは、複数の入力ポートから光信号が導かれてくるときは、それら複数の光信号を合波して出力する。
【００７５】
光クロスコネクト２２＃１は、特に限定されるものではないが、図２に示すチューナブルフィルタ２１＃１〜２１＃ｎを内蔵するようにしてもよい。この場合、各入力ポートに対してそれぞれチューナブルフィルタ（ＴＦ）が設けられる。なお、上記構成は、光クロスコネクト２２＃１、２２＃２、．．．において共通である。
【００７６】
光クロスコネクト２２＃２は、光信号ＥをWEST方路に出力するために、入力ポートＰ２の光信号Ｅを光カプラ２３Ｗに導く。ここで、光カプラ２３Ｗは、光クロスコネクト２２＃２の出力ポートＰ１に接続されている。よって、光クロスコネクト２２＃２は、光信号Ｅを入力ポートＰ２から出力ポートＰ１に導く。また、光クロスコネクト２２＃２は、光信号ＦをWEST方路に出力するために、入力ポートＰ３の光信号Ｆを光カプラ２３Ｗに導く。すなわち、光クロスコネクト２２＃２は、光信号Ｆを入力ポートＰ３から出力ポートＰ１に導く。これにより、光クロスコネクト２２＃２は、光信号Ｅ、Ｆを合波して光カプラ２３Ｗに出力する。
【００７７】
光カプラ２３Ｗは、光信号Ａ、光信号Ｂ、光信号Ｅ、光信号Ｆを合波して出力する。このとき、光カプラ２３Ｗの出力光信号は、波長λ１、λ２、λ３、λ４を含んでいる。なお、光カプラ２３Ｗにさらに他の光信号が入力される場合は、光カプラ２３Ｗは、光信号Ａ、Ｂ、Ｅ、Ｆ、および他の光信号を合波して出力する。そして、光カプラ２３Ｗの出力光信号は、アド用波長選択スイッチ２４Ｗに導かれる。
【００７８】
アド用波長選択スイッチ２４Ｗは、光カプラ２３Ｗの出力光信号から、波長パス制御部２により指定される波長を選択する。ここでは、アド用波長選択スイッチ２４Ｗは、波長λ１、λ２、λ３、λ４を選択するものとする。そして、アド用波長選択スイッチ２４Ｗは、選択した波長λ１、λ２、λ３、λ４の光信号を波長選択スイッチ１３Ｗに導く。
【００７９】
波長選択スイッチ１３Ｗには、EAST方路から光スプリッタ１２Ｅを介して導かれてくる光信号、およびアド用波長選択スイッチ２４Ｗから導かれてくる光信号が入力される。ここで、EAST方路から光スプリッタ１２Ｅを介して導かれてくる光信号を「主光信号」と呼び、アド用波長選択スイッチ２４Ｗから導かれてくる光信号を「アド光信号」と呼ぶことにする。
【００８０】
波長選択スイッチ１３Ｗは、波長パス制御部２の指示に従って、主光信号およびアド光信号から、WEST方路へ出力されるＷＤＭ光信号を生成する。このとき、波長選択スイッチ１３Ｗは、主光信号から、光分岐挿入装置１を「通過（スルー）」する波長を選択すると共に、アド光信号から、主光信号に「挿入」する波長を選択する。この実施例では、アド光信号から波長λ１、λ２、λ３、λ４が選択される。この場合、波長選択スイッチ１３Ｗは、主光信号から波長λ１、λ２、λ３、λ４を選択しないように制御される。これにより、光信号Ａ、Ｂ、Ｅ、Ｆを含むアド光信号が主信号に挿入されてWEST方路に出力される。
【００８１】
光信号Ｃ、Ｄ、Ｇ、ＨをEAST方路に出力する動作は、基本的に、光信号Ａ、Ｂ、Ｅ、ＦをWEST方路に出力する動作と同じである。すなわち、光クロスコネクト２２＃１は、光信号Ｃを入力ポートＰ３から出力ポートＰ２に導き、光信号Ｄを入力ポートＰ４から出力ポートＰ２に導く。これにより、光クロスコネクト２２＃１は、光信号Ｃ、Ｄを合波して光カプラ２３Ｅに出力する。同様に、光クロスコネクト２２＃２は、光信号Ｇを入力ポートＰ５から出力ポートＰ２に導き、光信号Ｈを入力ポートＰ６から出力ポートＰ２に導く。これにより、光クロスコネクト２２＃２は、光信号Ｇ、Ｈを合波して光カプラ２３Ｅに出力する。
【００８２】
光カプラ２３Ｅは、光信号Ｃ、光信号Ｄ、光信号Ｇ、光信号Ｈを合波して出力する。このとき、光カプラ２３Ｅの出力光信号は、波長λ１、λ２、λ４、λ５を含んでいる。アド用波長選択スイッチ２４Ｅは、光カプラ２３Ｅの出力光信号から、波長パス制御部２により指定される波長を選択する。ここでは、アド用波長選択スイッチ２４Ｅは、波長λ１、λ２、λ４、λ５を選択するものとする。
【００８３】
波長選択スイッチ１３Ｅには、WEST方路から光スプリッタ１２Ｗを介して導かれてくる光信号（主光信号）、及びアド用波長選択スイッチ２４Ｅから導かれてくる光信号（アド光信号）が入力される。そうすると、波長選択スイッチ１３Ｅは、波長パス制御部２の指示に従って、主光信号およびアド光信号から、EAST方路へ出力されるＷＤＭ光信号を生成する。この実施例では、アド光信号から波長λ１、λ２、λ４、λ５が選択される。この場合、波長選択スイッチ１３Ｅは、主光信号から波長λ１、λ２、λ４、λ５を選択しないように制御される。これにより、光信号Ｃ、Ｄ、Ｇ、Ｈを含むアド光信号が主信号に挿入されてEAST方路に出力される。
【００８４】
このように、図１１に示す実施例においては、任意の端局から送信される光信号を所望の方路に出力することができる。また、複数の光信号を異なる方路に出力する場合は、それら複数の光信号が同じ波長を使用することができる。例えば、WEST方路に出力される光信号ＢおよびEAST方路に出力される光信号Ｄは、いずれも波長λ１を利用している。
【００８５】
図１３は、光分岐挿入装置１のアド動作の第２の実施例を示す図である。第２の実施例においては、光分岐挿入装置１は、アド用波長選択スイッチ２４Ｅ、２４Ｗを備えていない。
【００８６】
図１３に示す例では、光カプラ２３Ｅ、２３Ｗは、それぞれ複数の光カプラを備えている。よって、光カプラ５１Ｅは、光カプラ２３Ｅ内の複数の光カプラから出力される光信号を合波して波長選択スイッチ１３Ｅに導く。同様に、光カプラ５１Ｗは、光カプラ２３Ｗ内の複数の光カプラから出力される光信号を合波して波長選択スイッチ１３Ｗに導く。
【００８７】
波長選択スイッチ１３Ｅ、１３Ｗは、それぞれ、第１の実施例と同様に、主光信号にアド光信号を挿入することによりＷＤＭ光信号を生成する。このとき、波長選択スイッチ１３Ｅは、第１の実施例のアド用波長選択スイッチ２４Ｅの機能を含むようにしてもよい。同様に、波長選択スイッチ１３Ｗは、第１の実施例のアド用波長選択スイッチ２４Ｗの機能を含むようにしてもよい。
【００８８】
図１４は、光分岐挿入装置１のアド動作の第３の実施例を示す図である。第３の実施例においては、光クロスコネクト２２＃１、２２＃２、．．．は、図１２に示す構成であってもよいし、単純なマトリクススイッチであってもよい。単純なマトリクススイッチは、特に限定されるものではないが、各入力ポートから入力される光信号をそれぞれ１つの出力ポートに導き、各出力ポートには１つの入力ポートの光信号を導く。すなわち、第３の実施例においては、光クロスコネクト２２＃１、２２＃２、．．．は、図１２に示す８×１カプラ（ＣＰＬ）を備えなくてもよい。
【００８９】
なお、図１４では、光クロスコネクト２２＃１の入力ポートＰ１〜Ｐ８のうちのＰ２〜Ｐ７の符号が省略され、出力ポートＰ１〜Ｐ８のうちのＰ２〜Ｐ７の符号が省略されている。図１４では、図面を見やすくするために図示しないが、符号の付されていない６つの入力ポートは、入力ポートＰ１からＰ８に向かって順番にＰ２〜Ｐ７である。同様に、符号の付されていない６つの出力ポートは、出力ポートＰ１からＰ８に向かって順番にＰ２〜Ｐ７である。
【００９０】
光クロスコネクト２２＃１の出力ポートＰ１〜Ｐ４は、光カプラ２３Ｗに接続されている。また、光クロスコネクト２２＃１の出力ポートＰ５〜Ｐ８は、光カプラ２３Ｅに接続されている。
【００９１】
上記構成の光分岐挿入装置１において、第１の実施例と同様に、光信号Ａ、Ｂ、Ｅ、ＦをWEST方路へ出力し、光信号Ｃ、Ｄ、Ｇ、ＨをEAST方路に出力するものとする。光信号Ａ、Ｂ、Ｅ、Ｆの波長は、それぞれλ２、λ１、λ３、λ４であり、光信号Ｃ、Ｄ、Ｇ、Ｈの波長は、それぞれλ５、λ１、λ４、λ２である。ただし、第３の実施例では、光信号Ａ、Ｂ、Ｅ、Ｆは、それぞれ、光クロスコネクト２２＃１の入力ポートＰ１、Ｐ３、Ｐ４、Ｐ６に入力される。また、光信号Ｃ、Ｄ、Ｇ、Ｈは、それぞれ、光クロスコネクト２２＃１の入力ポートＰ２、Ｐ５、Ｐ７、Ｐ８に入力される。
【００９２】
光クロスコネクト２２＃１は、光信号ＡをWEST方路に出力するために、入力ポートＰ１の光信号Ａを光カプラ２３Ｗに導く。ここで、光カプラ２３Ｗは、光クロスコネクト２２＃１の出力ポートＰ１〜Ｐ４に接続されている。したがって、光クロスコネクト２２＃１は、光信号Ａを、出力ポートＰ１〜Ｐ４の中の１つに導く。図１４に示す例では、光クロスコネクト２２＃１は、光信号Ａを入力ポートＰ１から出力ポートＰ１に導いている。これにより、光信号Ａは、光カプラ２３Ｗに導かれる。
【００９３】
また、光クロスコネクト２２＃１は、光信号Ｂ、Ｅ、Ｆをそれぞれ光カプラ２３Ｗに導く。このとき、光信号Ｂ、Ｅ、Ｆは、光信号Ａと重複しないように、出力ポートＰ１〜Ｐ４に導かれる。図１４に示す例では、光クロスコネクト２２＃１は、入力ポートＰ３の光信号Ｂを出力ポートＰ２に導き、入力ポートＰ４の光信号Ｅを出力ポートＰ３に導き、入力ポートＰ６の光信号Ｆを出力ポートＰ４に導いている。これにより、光信号Ｂ、Ｅ、Ｆも、光カプラ２３Ｗに導かれる。
【００９４】
光カプラ２３Ｗは、第１の実施例と同様に、光信号Ａ、Ｂ、Ｅ、Ｆ（波長λ１〜λ４）を合波して出力する。また、アド用波長選択スイッチ２４Ｗおよび波長選択スイッチ１３Ｗの動作は、基本的に、第１の実施例と同じである。したがって、上記動作により、光信号Ａ、Ｂ、Ｅ、Ｆが挿入されたＷＤＭ光信号がWEST方路に出力される。
【００９５】
光信号Ｃ、Ｄ、Ｇ、ＨをEAST方路に出力する動作は、基本的に、光信号Ａ、Ｂ、Ｅ、ＦをWEST方路に出力する動作と同じである。ただし、光クロスコネクト２２＃１は、入力ポートＰ２の光信号Ｃを出力ポートＰ５に導き、入力ポートＰ５の光信号Ｄを出力ポートＰ６に導き、入力ポートＰ７の光信号Ｇを出力ポートＰ７に導き、入力ポートＰ８の光信号Ｈを出力ポートＰ８に導く。これにより、光信号Ｃ、Ｄ、Ｇ、Ｈは、光カプラ２３Ｅに導かれる。
【００９６】
このように、光クロスコネクト２２＃１、２２＃２、．．．が光カプラ機能を備えていない構成であっても、第１の実施例と同様の動作を実現することができる。
【００９７】
図１５は、光分岐挿入装置１のアド動作の第４の実施例を示す図である。第４の実施例においては、光分岐挿入装置１は、アド用波長選択スイッチ２４Ｅ、２４Ｗを備えていない。なお、第３の実施例と第４の実施例との差異は、上述した第１の実施例と第２の実施例との差異と同じである。よって、第４の実施例に係わる説明は省略する。
【００９８】
図１６は、光分岐挿入装置１のアド動作の第５の実施例を示す図である。第５の実施例においては、光クロスコネクト２２＃１の動作は、基本的に、図１４に示す第３の実施例と同じである。ただし、光クロスコネクト２２＃１の入力ポートＰ１〜Ｐ８の入力光信号は、第３の実施例とは異なっている。
【００９９】
第１〜第４の実施例と同様に、第５の実施例においても、WEST方路に出力する光信号は光カプラ２３Ｗに導かれる。ただし、第５の実施例においては、光信号Ａ（λ１）、Ｃ（λ３）、Ｄ（λ２）、Ｆ（λ４）は、それぞれ、光カプラ２３Ｗ内の別個の光カプラ（＃１〜＃４）に導かれる。図１６に示す例では、光信号Ａ、Ｃ、Ｄ、Ｆ、それぞれ光クロスコネクト２２＃１の出力ポートＰ１、Ｐ２、Ｐ３、Ｐ４から出力され、光カプラ２３Ｗ＃１、２３Ｗ＃２、２３Ｗ＃３、２３Ｗ＃４に導かれている。このとき、光カプラ２３Ｗ＃１〜２３Ｗ＃４には、他の光クロスコネクトから異なる波長の光信号を導くことができる。なお、アド用波長選択スイッチ２４Ｗおよび波長選択スイッチ１３Ｗの動作は、上述した第１または第３の実施例と同じである。
【０１００】
EAST方路に出力する光信号は、光クロスコネクト２２＃１により光カプラ２３Ｅに導かれる。他の動作は、基本的に、光信号をWEST方路に出力するときと同じである。したがって、この構成によっても、任意の入力ポートに入力される光信号を、所望の方路に導くことができる。
【０１０１】
図１７は、光分岐挿入装置１のドロップ動作の第１の実施例を示す図である。ここでは、図面を見やすくするために、光アンプ１１Ｅ、１１Ｗ、光スプリッタ１２Ｅ、１２Ｗ、ドロップ用波長選択スイッチ１４Ｅ、１４Ｗ、光スプリッタ１５Ｅ、１５Ｗ、光クロスコネクト１６、チューナブルフィルタ１７＃１〜１７＃ｎのみが描かれている。
【０１０２】
光クロスコネクト１６は、この実施例では、複数の光クロスコネクト１６＃１、１６＃２、．．．を備えている。各光クロスコネクト１６＃１、１６＃２、．．．は、この例では、それぞれ、８入力−８出力構成である。また、光スプリッタ１５Ｅ、１５Ｗは、この例では、それぞれ、複数の光スプリッタを含んでいる。
【０１０３】
上記構成の光分岐挿入装置１において、WEST方路から入力されるＷＤＭ光信号から波長λ１、λ２、λ３、λ４の光信号を抽出し、それぞれ端局Ｂ、Ａ、Ｅ、Ｆへ送信するものとする。また、EAST方路から入力されるＷＤＭ光信号から波長λ１、λ２、λ４、λ５の光信号を抽出し、それぞれ端局Ｄ、Ｈ、Ｇ、Ｃへ送信するものとする。なお、以下の説明では、EAST方路から光分岐挿入装置１に入力されるＷＤＭ光信号をＥ−ＷＤＭ光信号と呼び、WEST方路から光分岐挿入装置１に入力されるＷＤＭ光信号をＷ−ＷＤＭ光信号と呼ぶことがある。また、波長λ１、λ２、λ３、λ４、λ５の光信号を、それぞれ、λ１光信号、λ２光信号、λ３光信号、λ４光信号、λ５光信号と呼ぶことがある。
【０１０４】
光スプリッタ１２Ｗは、Ｗ−ＷＤＭ光信号を分岐して波長選択スイッチ１３Ｅおよびドロップ用波長選択スイッチ１４Ｗに導く。波長選択スイッチ１３Ｅの動作は、例えば、図１１を参照しながら説明した通りである。また、ドロップ用波長選択スイッチ１４Ｗは、波長パス制御部２の指示に応じて、Ｗ−ＷＤＭ光信号からλ１光信号、λ２光信号、λ３光信号、λ４光信号を選択する。そして、ドロップ用波長選択スイッチ１４Ｗにより選択された光信号は、光スプリッタ１５Ｗに導かれる。このとき、λ１光信号、λ２光信号、λ３光信号、λ４光信号は、ＷＤＭ光信号として光スプリッタ１５Ｗに導かれる。したがって、以下の説明では、このＷＤＭ光信号をＷ−λ１／λ２／λ３／λ４光信号と呼ぶことがある。
【０１０５】
光スプリッタ１５Ｗは、上述したように、複数の光スプリッタ１５Ｗ＃１、１５Ｗ＃２、．．．を備えている。そして、Ｗ−λ１／λ２／λ３／λ４光信号は、この例では、光スプリッタ１５Ｗ＃１に導かれている。なお、光スプリッタ１５Ｗ＃２、１５Ｗ＃３、．．．には、例えば、ドロップ用波長選択スイッチ１４Ｗにより選択される他の波長の光信号が入力される。
【０１０６】
光スプリッタ１５Ｗ＃１の出力ポートは、各光クロスコネクト１６＃１、１６＃２、．．．の入力ポートＰ１に接続されている。すなわち、光スプリッタ１５Ｗ＃１の出力信号は、光クロスコネクト１６＃１、１６＃２の入力ポートＰ１に導かれる。これにより、光クロスコネクト１６＃１の入力ポートＰ１にＷ−λ１／λ２／λ３／λ４光信号が導かれる。また、光クロスコネクト１６＃２の入力ポートＰ１にもＷ−λ１／λ２／λ３／λ４光信号が導かれる。
【０１０７】
図１８は、光クロスコネクト１６＃１の構成を示す図である。光クロスコネクト１６＃１は、各入力ポートに対してそれぞれ１×８スプリッタ（ＳＰＬ）を備え、各出力ポートに対してそれぞれ８×１スイッチ（ＳＷ）を備える。１×８スプリッタは、それぞれ入力光信号を分岐してすべての出力ポートに導く。また、８×１スイッチは、波長パス制御部２により指定される入力ポートからの光信号を選択する。
【０１０８】
光クロスコネクト１６＃１は、特に限定されるものではないが、図２に示すチューナブルフィルタ１７＃１〜１７＃ｎを内蔵するようにしてもよい。この場合、各出力ポートに対してそれぞれチューナブルフィルタ（ＴＦ）が設けられる。なお、上記構成は、光クロスコネクト１６＃１、１６＃２、．．．において共通である。
【０１０９】
光クロスコネクト１６＃１の入力ポートＰ１の光信号は、図１８に示す１×８スプリッタにより分岐され、各出力ポートＰ１〜Ｐ８に導かれる。同様に、光クロスコネクト１６＃２の入力ポートＰ１の光信号も、各出力ポートＰ１〜Ｐ８に導かれる。
【０１１０】
ここで、波長パス制御部２は、光クロスコネクト１６＃１に対して下記の指示を与えている。
出力ポートＰ１：入力ポートＰ１の光信号を選択
出力ポートＰ２：入力ポートＰ１の光信号を選択
出力ポートＰ３：入力ポートＰ２の光信号を選択
出力ポートＰ４：入力ポートＰ２の光信号を選択
【０１１１】
また、波長パス制御部２は、光クロスコネクト１６＃２に対して下記の指示を与えている。
出力ポートＰ２：入力ポートＰ１の光信号を選択
出力ポートＰ３：入力ポートＰ１の光信号を選択
出力ポートＰ５：入力ポートＰ２の光信号を選択
出力ポートＰ６：入力ポートＰ２の光信号を選択
【０１１２】
したがって、光クロスコネクト１６＃１の出力ポートＰ１、Ｐ２、光クロスコネクト１６＃２の出力ポートＰ２、Ｐ３から、それぞれ、Ｗ−λ１／λ２／λ３／λ４光信号が出力される。
【０１１３】
さらに、波長パス制御部２は、各チューナブルフィルタ１７を下記のように制御する。なお、以下の説明では、各チューナブルフィルタ１７は「＃ｉ＃ｋ」で識別される。ここで、「ｉ」は、光クロスコネクト１６＃１、１６＃２、．．．を識別し、「ｋ」は、各光クロスコネクトの出力ポートＰ１〜Ｐ８を識別する。例えば、「＃１＃１」は、光クロスコネクト１６＃１の出力ポートＰ１に接続されるチューナブルフィルタを識別する。
＃１＃１：通過波長＝λ２
＃１＃２：通過波長＝λ１
＃１＃３：通過波長＝λ５
＃１＃４：通過波長＝λ１
＃２＃２：通過波長＝λ３
＃２＃３：通過波長＝λ４
＃２＃５：通過波長＝λ４
＃２＃６：通過波長＝λ２
【０１１４】
チューナブルフィルタ１７＃１＃１には、光クロスコネクト１６＃１により、Ｗ−λ１／λ２／λ３／λ４光信号が導かれる。ここで、チューナブルフィルタ１７＃１＃１の通過波長は、上述のように、λ２に制御されている。したがって、チューナブルフィルタ１７＃１＃１は、Ｗ−λ１／λ２／λ３／λ４光信号からλ２光信号を抽出する。これにより、Ｗ−ＷＤＭ光信号から抽出されるλ２光信号が、端局Ａに送信される。
【０１１５】
同様に、チューナブルフィルタ１７＃１＃２は、Ｗ−λ１／λ２／λ３／λ４光信号からλ１光信号を抽出する。また、チューナブルフィルタ１７＃２＃２は、Ｗ−λ１／λ２／λ３／λ４光信号からλ３光信号を抽出する。さらに、チューナブルフィルタ１７＃２＃３は、Ｗ−λ１／λ２／λ３／λ４光信号からλ４光信号を抽出する。これにより、Ｗ−ＷＤＭ光信号から抽出されるλ１、λ３、λ４光信号が、それぞれ、端局Ｂ、Ｅ、Ｆに送信される。
【０１１６】
EAST方路から入力されるＷＤＭ光信号（Ｅ−ＷＤＭ光信号）から指定された波長の光信号を抽出する動作は、基本的に、Ｗ−ＷＤＭ光信号から指定された波長の光信号を抽出する動作と同じである。すなわち、ドロップ用波長選択スイッチ１４ＥによりＥ−λ１／λ２／λ４／λ５光信号が生成される。このＥ−λ１／λ２／λ４／λ５光信号は、光スプリッタ１５Ｅおよび光クロスコネクト１６＃１、１６＃２により、チューナブルフィルタ１７＃１＃３、１７＃１＃４、１７＃２＃５、１７＃２＃６に導かれる。そして、光信号チューナブルフィルタ１７＃１＃３、１７＃１＃４、１７＃２＃５、１７＃２＃６は、それぞれ、Ｅ−λ１／λ２／λ４／λ５光信号からλ５、λ１、λ４、λ２光信号を抽出する。これにより、Ｅ−ＷＤＭ光信号から抽出されるλ１、λ２、λ４、λ５光信号が、それぞれ、端局Ｄ、Ｈ、Ｇ、Ｃに送信される。
【０１１７】
このように、実施形態の光分岐挿入装置１は、任意の方路上のＷＤＭ光信号から所望の波長の光信号を抽出して所望の端局へ送信できる。よって、実施形態の構成によれば、波長パスを柔軟に設定または変更できる。
【０１１８】
図１９は、光分岐挿入装置１のドロップ動作の第２の実施例を示す図である。第２の実施例においては、光分岐挿入装置１は、ドロップ用波長選択スイッチ１４Ｅ、１４Ｗを備えていない。
【０１１９】
図１９に示す例では、光スプリッタ１５Ｅ、１５Ｗは、それぞれ複数の光スプリッタを備えている。よって、光スプリッタ６１Ｅは、Ｅ−ＷＤＭ光信号を分岐して光スプリッタ１５Ｅ内の複数の光スプリッタに光信号を導く。同様に、光スプリッタ６１Ｗは、Ｗ−ＷＤＭ光信号を分岐して光スプリッタ１５Ｗ内の複数の光スプリッタに導く。
【０１２０】
Ｗ−ＷＤＭ光信号は、光スプリッタ６１Ｗおよび光スプリッタ１５Ｗにより、光クロスコネクト１６＃１の入力ポートＰ１および光クロスコネクト１６＃２の入力ポートＰ１に導かれる。そうすると、Ｗ−ＷＤＭ光信号は、チューナブルフィルタ１７＃１＃１、１７＃１＃２、１７＃２＃２、１７＃２＃３に導かれる。
【０１２１】
チューナブルフィルタ１７＃１＃１、１７＃１＃２、１７＃２＃２、１７＃２＃３の動作は、第１の実施例と同じである。ただし、第２の実施例では、各チューナブルフィルタ１７＃１＃１、１７＃１＃２、１７＃２＃２、１７＃２＃３は、それぞれ、Ｗ−ＷＤＭ光信号から指定された波長の光信号を抽出する。同様に、チューナブルフィルタ１７＃１＃３、１７＃１＃４、１７＃２＃５、１７＃２＃６により、Ｅ−ＷＤＭ光信号から指定された波長の光信号が抽出される。
【０１２２】
図２０は、光分岐挿入装置１のドロップ動作の第３の実施例を示す図である。第３の実施例においては、Ｗ−ＷＤＭ光信号のλ１光信号、λ２光信号、λ３光信号、λ４光信号を、それぞれ端局Ｃ、Ａ、Ｄ、Ｆに送信するものとする。また、Ｅ−ＷＤＭ光信号のλ１光信号、λ２光信号、λ４光信号、λ５光信号を、それぞれ端局Ｅ、Ｈ、Ｇ、Ｂに送信するものとする。
【０１２３】
第３の実施例において、ドロップ用波長選択スイッチ１４Ｅ、１４Ｗの動作は、第１の実施例と同じである。すなわち、ドロップ用波長選択スイッチ１４Ｗは、Ｗ−ＷＤＭ光信号からＷ−λ１／λ２／λ３／λ４光信号を生成する。また、ドロップ用波長選択スイッチ１４Ｅは、Ｅ−ＷＤＭ光信号からＥ−λ１／λ２／λ４／λ５光信号を生成する。
【０１２４】
光スプリッタ１５Ｗは、Ｗ−λ１／λ２／λ３／λ４光信号を光クロスコネクト１６＃１の入力ポートＰ１〜Ｐ４に導く。同様に、光スプリッタ１５Ｅは、Ｅ−λ１／λ２／λ４／λ５光信号を光クロスコネクト１６＃１の入力ポートＰ５〜Ｐ８に導く。
【０１２５】
光クロスコネクト１６＃１は、波長パス制御部２からの指示に応じて、図２０に示すように入力ポートＰ１〜Ｐ８と出力ポートＰ１〜Ｐ８とを接続する。これにより、Ｗ−λ１／λ２／λ３／λ４光信号は、チューナブルフィルタ１７＃１、＃３、＃４、＃６に導かれる。また、Ｅ−λ１／λ２／λ４／λ５光信号は、チューナブルフィルタ１７＃２、＃５、＃７、＃８に導かれる。
【０１２６】
チューナブルフィルタ１７＃１〜１７＃８は、波長パス制御部２により、下記のように制御される。
＃１：通過波長＝λ２
＃２：通過波長＝λ５
＃３：通過波長＝λ１
＃４：通過波長＝λ３
＃５：通過波長＝λ１
＃６：通過波長＝λ４
＃７：通過波長＝λ４
＃８：通過波長＝λ２
【０１２７】
そうすると、チューナブルフィルタ１７＃１は、Ｗ−λ１／λ２／λ３／λ４光信号からλ２光信号を抽出する。これにより端局Ａは、Ｗ−ＷＤＭ光信号に含まれるλ２光信号を受信する。同様に、チューナブルフィルタ１７＃３、＃４、＃６は、Ｗ−λ１／λ２／λ３／λ４光信号からλ１、λ３、λ４光信号を抽出する。よって、端局Ｃ、Ｄ、Ｆは、それぞれ、Ｗ−ＷＤＭ光信号に含まれるλ１、λ３、λ４光信号を受信する。
【０１２８】
さらに、チューナブルフィルタ１７＃２、＃５、＃７、＃８は、Ｅ−λ１／λ２／λ４／λ５光信号からλ５、λ１、λ４、λ２光信号を抽出する。したがって、端局Ｂ、Ｅ、Ｇ、Ｈは、それぞれ、Ｅ−ＷＤＭ光信号に含まれるλ５、λ１、λ４、λ２光信号を受信する。
【０１２９】
このように、第３の実施例においても、実施形態の光分岐挿入装置１は、任意の方路上のＷＤＭ光信号から所望の波長の光信号を抽出して所望の端局へ送信できる。なお、第３の実施例では、光クロスコネクトは、入力光信号を分岐する機能を備える必要はない。よって、光クロスコネクトは、図１８において、スプリッタ（ＳＰＬ）の代わりに、入力光信号を指定された１つの出力ポートに導く１：８スイッチを設ける構成であってもよい。この場合、図１８において各出力ポートに対して設けられているスイッチ（ＳＷ）は設けなくてもよい。
【０１３０】
図２１は、光分岐挿入装置１のドロップ動作の第４の実施例を示す図である。第４の実施例においては、光分岐挿入装置１は、ドロップ用波長選択スイッチ１４Ｅ、１４Ｗを備えていない。なお、第３の実施例と第４の実施例との差異は、上述した第１の実施例と第２の実施例との差異と同じである。よって、第４の実施例に係わる説明は省略する。
【０１３１】
図２２は、光分岐挿入装置１のドロップ動作の第５の実施例を示す図である。第５の実施例においては、光クロスコネクト１６＃１の動作は、基本的に、図２０に示す第３の実施例と同じである。ただし、光クロスコネクト１６＃１の入力ポートＰ１〜Ｐ８の入力光信号は、第３の実施例とは異なっている。また、光分岐挿入装置１は、チューナブルフィルタ１７＃１〜１７＃ｎを備える必要はない。
【０１３２】
第５の実施例では、ドロップ用波長選択スイッチ１４Ｅは、Ｅ−ＷＤＭ光信号からλ１光信号、λ２光信号、λ３光信号、λ４光信号を抽出し、光スプリッタ１５Ｅ内の光スプリッタ＃１、＃２、＃３、＃４に導く。同様に、ドロップ用波長選択スイッチ１４Ｗは、Ｗ−ＷＤＭ光信号からλ１光信号、λ２光信号、λ３光信号、λ４光信号を抽出し、光スプリッタ１５Ｗ内の光スプリッタ＃１、＃２、＃３、＃４に導く。
【０１３３】
光スプリッタ１５Ｗ＃１は、Ｗ−ＷＤＭ光信号から抽出されたλ１光信号を各光クロスコネクト１６＃１、１６＃２、．．．の各入力ポートＰ１に導く。また、光スプリッタ１５Ｗ＃２、１５Ｗ＃３、１５Ｗ＃４は、それぞれ、Ｗ−ＷＤＭ光信号から抽出されたλ２光信号、λ３光信号、λ４光信号を、各光クロスコネクト１６＃１、１６＃２、．．．の各入力ポートＰ２、Ｐ３、Ｐ４に導く。同様に、光スプリッタ１５Ｅ＃１、１５Ｅ＃２、１５Ｅ＃３、１５Ｅ＃４は、それぞれ、Ｅ−ＷＤＭ光信号から抽出されたλ１光信号、λ２光信号、λ３光信号、λ４光信号を、各光クロスコネクト１６＃１、１６＃２、．．．の各入力ポートＰ５、Ｐ６、Ｐ７、Ｐ８に導く。
【０１３４】
光クロスコネクト１６＃１は、波長パス制御部２からの指示に従って、入力光信号をそれぞれ指定された出力ポートに導く。これにより、光分岐挿入装置１は、各方路から入力されるＷＤＭ光信号から抽出する光信号を所望の端局に送信することができる。
【０１３５】
図２３は、光分岐挿入装置１のドロップ動作の第６の実施例を示す図である。第６の実施例では、ＷＤＭ光信号から所望の波長の光信号が抽出されて複数の端局にマルチキャストされる。
【０１３６】
図２３に示す例では、ドロップ用波長選択スイッチ１４Ｗは、Ｗ−ＷＤＭ光信号からλ１光信号を抽出する。このλ１光信号は、光スプリッタ１５Ｗにより分岐され、光クロスコネクト１６＃１の入力ポートＰ１および光クロスコネクト１６＃２の入力ポートＰ１に導かれる。また、ドロップ用波長選択スイッチ１４Ｅは、Ｅ−ＷＤＭ光信号からλ４光信号を抽出する。このλ４光信号は、光スプリッタ１５Ｅにより分岐され、光クロスコネクト１６＃１の入力ポートＰ２および光クロスコネクト１６＃２の入力ポートＰ２に導かれる。
【０１３７】
光クロスコネクト１６＃１、１６＃２のスイッチング動作は、図１７に示す第１の実施例と同じである。よって、Ｗ−ＷＤＭ光信号から抽出されたλ１光信号は、光クロスコネクト１６＃１の出力ポートＰ１、Ｐ２、および、光クロスコネクト１６＃２の出力ポートＰ２、Ｐ３から出力される。すなわち、このλ１光信号は、４つの端局に送信される。また、Ｅ−ＷＤＭ光信号から抽出されたλ４光信号は、光クロスコネクト１６＃１の出力ポートＰ３、Ｐ４、および、光クロスコネクト１６＃２の出力ポートＰ５、Ｐ６から出力される。すなわち、このλ４光信号は、別の４つの端局に送信される。
【０１３８】
図２４は、光分岐挿入装置１のドロップ動作の第７の実施例を示す図である。第７の実施例においても、第６の実施例と同様に、ＷＤＭ光信号から所望の波長の光信号が抽出されて複数の端局にマルチキャストされる。
【０１３９】
第７の実施例では、光クロスコネクト１６＃１は、第３の実施例と同様に、入力光信号を分岐して複数の出力ポートへ導く機能を有していない。したがって、光スプリッタ１５Ｗは、λ１光信号を分岐して光クロスコネクト１６＃１の入力ポートＰ１〜Ｐ４に導く。また、光スプリッタ１５Ｅは、λ４光信号を分岐して光クロスコネクト１６＃１の入力ポートＰ５〜Ｐ８に導く。
【０１４０】
光クロスコネクト１６＃１のスイッチング動作は、図２０に示す第３の実施例と同じである。よって、Ｗ−ＷＤＭ光信号から抽出されたλ１光信号は、光クロスコネクト１６＃１の出力ポートＰ１、Ｐ３、Ｐ４、Ｐ６から出力される。すなわち、このλ１光信号は、４つの端局に送信される。また、Ｅ−ＷＤＭ光信号から抽出されたλ４光信号は、光クロスコネクト１６＃１の出力ポートＰ２、Ｐ５、Ｐ７、Ｐ８から出力される。すなわち、このλ４光信号は、別の４つの端局に送信される。
【０１４１】
このように、第６および第７の実施例では、任意の方路上のＷＤＭ光信号から所望の波長の光信号を抽出して所望の複数の端局へマルチキャストすることができる。なお、第６および第７の実施例では、光分岐挿入装置１は、チューナブルフィルタ１７＃１〜１７＃ｎを備える必要はない。
【０１４２】
＜８−Ｄｅｇｒｅｅ光分岐挿入装置の実施例＞
図２５および図２６は、第１の実施例の構成を示す図である。以下の説明では、光分岐挿入装置は、８本の方路（＃１〜＃８）を有する。各方路は、それぞれ入方路および出方路を備えている。なお、図２５では、各方路から光分岐挿入装置に入力されるＷＤＭ光信号を増幅する光アンプ（Pre-AMP）、および光分岐挿入装置から各方路に出力するＷＤＭ光信号を増幅する光アンプ（Post-AMP）は、省略されている。また、光分岐挿入装置内の他の光アンプも省略されている。
【０１４３】
各光スプリッタ１０１（＃１〜＃８）は、それぞれ、入力ＷＤＭ光信号を分岐する。光スプリッタ１０１は、例えば、１：８カプラである。すなわち、光カプラ１０１は、入力ＷＤＭ光信号を分岐して８つのＷＤＭ光信号を生成する。８つのＷＤＭ光信号の中の１つは、対応するドロップ用波長スイッチ１１１に導かれる。残りの７つのＷＤＭ光信号は、それぞれ他の方路の波長選択スイッチ１０２に導かれる。例えば、光スプリッタ１０１＃１により生成される８つのＷＤＭ光信号は、ドロップ用波長スイッチ１１１＃１、および方路＃２〜＃８に対して設けられている波長選択スイッチ１０２＃２〜１０２＃８に導かれる。なお、光スプリッタ１０１は、例えば、１：９カプラであってもよい。この場合、未使用の分岐光信号は、他の目的に使用することができる。
【０１４４】
光パス＃１〜＃８は、光スプリッタ１０１＃１〜１０１＃８と波長選択スイッチ１０２＃１〜１０２＃８との間の光パスを模式的に表している。例えば、光パス＃１は、光スプリッタ１０１＃２〜１０１＃８からそれぞれ出力されるＷＤＭ光信号を波長選択スイッチ１０２＃１に導く機能を表している。
【０１４５】
各ドロップ用波長選択スイッチ１１１（＃１〜＃８）は、それぞれ、対応する入力ＷＤＭ光信号から所望の波長を抽出して光カプラ１１２（＃１〜＃８）に導く。ここで、ドロップ用波長選択スイッチ１１１は、８以上の出力ポートを備える。また、ドロップ用波長選択スイッチ１１１は、任意の光カプラ１１２に対して任意の波長の光信号を導くことができる。例えば、ドロップ用波長選択スイッチ１１１＃１は、光カプラ１１２＃１へ波長λ１の光信号を導き、光カプラ１１２＃８へ波長λ２の光信号および波長λ３の光信号を導くことができる。
【０１４６】
光パス＃１１〜＃１８は、ドロップ用波長選択スイッチ１１１＃１〜１１１＃８と光カプラ１１２＃１〜１１２＃８との間の光パスを模式的に表している。例えば、光パス＃１１は、ドロップ用波長選択スイッチ１１１＃１〜１１１＃８からそれぞれ出力される光信号を光カプラ１１２＃１に導く機能を表している。
【０１４７】
また、光パス＃１１〜＃１８は、光スプリッタ１２３＃１〜１２３＃８とアド用波長選択スイッチ１２４＃１〜１２４＃８との間の光パスも模式的に表している。すなわち、光パス＃１１〜＃１８は、図面を見やすくするために、ドロップ用波長選択スイッチ１１１＃１〜１１１＃８から光カプラ１１２＃１〜１１２＃８へ光信号を送信する機能、および光スプリッタ１２３＃１〜１２３＃８からアド用波長選択スイッチ１２４＃１〜１２４＃８へ光信号を送信する機能の双方を模式的に表している。例えば、光パス＃１１は、上述の機能に加え、光スプリッタ１２３＃１〜１２３＃８からそれぞれ出力される光信号をアド用波長選択スイッチ１２４＃１に導く機能を表している。
【０１４８】
各光カプラ１１２（＃１〜＃８）は、それぞれ、１または複数のドロップ用波長選択スイッチ１１１から導かれてくる光信号を合波する。すなわち、光分岐挿入装置は、任意のまたは全ての方路の光信号を任意の光カプラ１１２に導くことができる。ただし、ドロップ用波長選択スイッチ１１１（＃１〜＃８）は、各光カプラ１１２に同じ波長の光信号が導かれないように、波長パス制御部２により制御される。
【０１４９】
各波長デマルチプレクサ１１３（＃１〜＃８）は、それぞれ、対応する光カプラ１１２から出力される光信号を波長ごとに分波する。なお、波長デマルチプレクサ１１３の各出力ポートの通過波長は、図８を参照しながら説明したように、予め固定されているものとする。また、各方路上のＷＤＭ光信号が、例えば９６波（λ１〜λ９６）を伝送するときは、波長デマルチプレクサ１１３は、９６個の出力ポートを備える。この場合、特に限定されるものではないが、第１出力ポートからλ１が出力され、第９６出力ポートからλ９６が出力されるようにしてもよい。
【０１５０】
光クロスコネクト１１４（＃１〜＃８）は、それぞれ、対応する波長デマルチプレクサ１１３から出力される光信号を指定された端局（または、トランスポンダ）に導く。波長デマルチプレクサ１１３が９６個の出力ポートを備える場合、光クロスコネクト１１４は９６×９６構成である。なお、クロスコネクト１１４の出力信号は、トランスポンダまたはトランスポンダと同等のインタフェースを介して端局へ送信される。
【０１５１】
上記構成において、方路＃Ｘ（Ｘ＝１〜８）のＷＤＭ光信号の中の波長λｉ（ｉ＝１〜９６）の光信号を、光クロスコネクト１１４＃１に収容される端局に導く場合は、ドロップ用波長選択スイッチ１１１＃Ｘは、以下のように制御される。
（１）入力ＷＤＭ光信号から波長λｉを選択する
（２）選択した波長λｉの光信号を光カプラ１１２＃１に導く
【０１５２】
この制御により、光カプラ１１２＃１には、方路＃ＸのＷＤＭ光信号から抽出された波長λｉの光信号（以下、Ｘ−λｉ光信号）が入力される。このとき、光カプラ１１２＃１には、他のドロップ用波長選択スイッチにより選択された光信号も入力される。したがって、波長デマルチプレクサ１１３＃１には、Ｘ−λｉ光信号を含むＷＤＭ光信号が入力される。
【０１５３】
波長デマルチプレクサ１１３＃１は、このＷＤＭ光信号を分波する。この結果、波長デマルチプレクサ１１３＃１のｉ番目の出力ポートからＸ−λｉ光信号が出力される。ここで、波長デマルチプレクサ１１３＃１のｉ番目の出力ポートは、光クロスコネクト１１４＃１のｉ番目の入力ポートに接続されている。よって、Ｘ−λｉ光信号は、光クロスコネクト１１４＃１のｉ番目の入力ポートに導かれる。そして、光クロスコネクト１１４＃１は、この光信号（すなわち、方路＃ＸのＷＤＭ光信号から抽出された波長λｉの光信号）を指定された端局（または、トランスポンダ）に導く。
【０１５４】
このように、実施形態の光分岐挿入装置は、任意の方路上のＷＤＭ光信号の中の任意の波長の光信号を、指定された端局に送信することができる。このとき、波長デマルチプレクサ１１３の波長依存性は、光クロスコネクト１１４によって補償される。したがって、波長パスを柔軟に設定または変更できる光分岐挿入装置が実現される。
【０１５５】
各光クロスコネクト１２１（＃１〜＃８）は、それぞれ、端局（または、トランスポンダ）から送信される光信号を、波長に応じて決まる出力ポートに導く。光クロスコネクト１２１のポート数は、例えば、光クロスコネクト１１４と同じである。また、各波長マルチプレクサ１２２（＃１〜＃８）は、それぞれ、対応する光クロスコネクト１２１から出力される光信号を合波する。波長マルチプレクサ１２２の入力ポート数は、例えば、波長デマルチプレクサ１１３の出力ポート数と同じである。また、波長マルチプレクサ１２２の各入力ポートの通過波長は、図４を参照しながら説明したように、予め固定されているものとする。
【０１５６】
波長マルチプレクサ１２２の入力ポートＰ１〜Ｐ９６の通過波長がそれぞれλ１〜λ９６であるものとする。また、光クロスコネクト１２１の出力ポートＰ１〜Ｐ９６がそれぞれ波長マルチプレクサ１２２の入力ポートＰ１〜Ｐ９６に接続されているものとする。この場合、光クロスコネクト１２１は、例えば、波長λ１の入力光信号を出力ポートＰ１に導き、波長λ９６の入力光信号を出力ポートＰ９６に導く。これにより、光クロスコネクト１２１に収容される端局（または、トランスポンダ）が任意の波長で光信号を送信しても、その光信号は、波長マルチプレクサ１２２の適切な入力ポートに導かれる。
【０１５７】
各光スプリッタ１２３（＃１〜＃８）は、それぞれ、対応する波長マルチプレクサ１２２から出力される光信号を分岐してアド用波長選択スイッチ１２４＃１〜１２４＃８に導く。すなわち、アド用波長選択スイッチ１２４＃１〜１２４＃８には、同じ光信号が導かれる。
【０１５８】
各アド用波長選択スイッチ１２４（＃１〜＃８）は、それぞれ、光スプリッタ１２３＃１〜＃８から導かれてくる光信号から１または複数の所望の波長を選択する。そして、アド用波長選択スイッチ１２４は、選択した波長の光信号を対応する波長選択スイッチ１０２に導く。例えば、アド用波長選択スイッチ１２４＃１は、選択した波長の光信号を波長選択スイッチ１０２＃１に導く。このとき、アド用波長選択スイッチ１２４は、複数の波長を選択したときは、複数の光信号を合波して対応する波長選択スイッチ１０２に導く。
【０１５９】
各波長選択スイッチ１０２（＃１〜＃８）には、それぞれ、対応するアド用波長選択スイッチ１２４から導かれてくる光信号、および他の方路から導かれてくるＷＤＭ光信号が入力される。例えば、波長選択スイッチ１０２＃１には、アド用波長選択スイッチ１２４＃１から導かれてくる光信号、および方路＃２〜＃８から導かれてくるＷＤＭ光信号が入力される。そして、波長選択スイッチ１０２は、対応する方路に出力する光信号を選択してＷＤＭ光信号として出力する。このとき、ＷＤＭ光信号に含まれる複数の光信号の波長は、互いに異なるように選択される。
【０１６０】
上記構成において、光クロスコネクト１２１＃１に収容される端局（または、トランスポンダ）から波長λｉ（ｉ＝１〜９６）を利用して送信される光信号を方路＃Ｘ（Ｘ＝１〜８）へ出力するものとする。この場合、この光信号は、光クロスコネクト１２１＃１、波長マルチプレクサ１２２＃１、光スプリッタ１２３＃１を介して、アド用波長選択スイッチ１２４＃１〜１２４＃８に導かれる。このとき、この光信号は、他の端局から送信される光信号と共にアド用波長選択スイッチ１２４＃１〜１２４＃８に導かれる。
【０１６１】
アド用波長選択スイッチ１２４＃Ｘは、波長λｉを選択するように制御される。このとき、アド用波長選択スイッチ１２４＃Ｘは、方路Ｘへ出力する他の波長も合わせて選択することができる。また、波長選択スイッチ１０２＃Ｘも、波長λｉを選択するように制御される。このとき、波長選択スイッチ１０２＃Ｘも、方路Ｘへ出力する他の波長も合わせて選択することができる。
【０１６２】
このように、実施形態の光分岐挿入装置は、任意の波長の光信号を所望の方路に出力できる。このとき、波長マルチプレクサ１２２の波長依存性は、光クロスコネクト１２１によって補償される。したがって、波長パスを柔軟に設定または変更できる光分岐挿入装置が実現される。
【０１６３】
図２７は、第２の実施例の構成を示す図である。なお、光スプリッタ１０１（＃１〜＃８）および波長選択スイッチ１０２（＃１〜＃８）の構成および動作は、第１の実施例と同じであり、図２５を参照しながら説明した通りである。
【０１６４】
各ドロップ用波長選択スイッチ１３１（＃１〜＃８）は、それぞれ、対応する入力ＷＤＭ光信号から所望の波長の光信号を抽出して対応する光スプリッタ１３２（＃１−１〜＃８−８）に導く。ここで、ドロップ用波長選択スイッチ１３１は、８以上の出力ポートを備える。そして、ドロップ用波長選択スイッチ１３１＃ｉの出力ポートは、光スプリッタ１３２＃ｉ−１〜１３２＃ｉ−８に接続されている。よって、例えば、ドロップ用波長選択スイッチ１３１＃１は、方路＃１のＷＤＭ光信号から所望の波長の光信号を抽出して対応する光スプリッタ１３２＃１−１〜１３２＃１−８に導く。このとき、ドロップ用波長選択スイッチ１３１は、対応する８個の光スプリッタ１３２に対して任意の波長の光信号を導くことができる。例えば、ドロップ用波長選択スイッチ１３１＃１は、光スプリッタ１３２＃１−１へ波長λ１の光信号を導くと共に、光スプリッタ１３２＃１−８へ波長λ２の光信号および波長λ３の光信号を導くことができる。
【０１６５】
光パス＃２１〜＃２８は、ドロップ用波長選択スイッチ１３１＃１〜１３１＃８と光スプリッタ１３２＃１−１〜１３２＃８−８との間の光パスを模式的に表している。たとえば、光パス＃２１は、ドロップ用波長選択スイッチ１３１＃１から出力される光信号を光スプリッタ１３２＃１−１〜１３２＃１−８に導く機能を表している。
【０１６６】
また、光パス＃２１〜＃２８は、光カプラ１４２＃１−１〜１４２＃８−８とアド用波長選択スイッチ１４３＃１〜１４３＃８との間の光パスも模式的に表している。すなわち、光パス＃２１〜＃２８は、図面を見やすくするために、ドロップ用波長選択スイッチ１３１＃１〜１３１＃８から光スプリッタ１３２＃１−１〜１３２＃８−８へ光信号を送信する機能、および光カプラ１４２＃１−１〜１４２＃８−８からアド用波長選択スイッチ１４３＃１〜１４３＃８へ光信号を送信する機能の双方を模式的に表している。例えば、光パス＃２１は、上述の機能に加え、光カプラ１４２＃１−１〜１４２＃１−８からそれぞれ出力される光信号をアド用波長選択スイッチ１４３＃１に導く機能を表している。
【０１６７】
各光スプリッタ１３２（＃１−１〜＃８−８）は、それぞれ、対応するドロップ用波長選択スイッチ１３１の対応する出力ポートから導かれてくる光信号を分岐し、光クロスコネクト１３３＃１〜１３３＃６４の対応する入力ポートへ送信する。例えば、光スプリッタ１３２＃１−１は、ドロップ用波長選択スイッチ１３１＃１の出力ポートＰ１から導かれてくる光信号を分岐し、光クロスコネクト１３３＃１、１３３＃９、１３３＃１７、１３３＃２５、１３３＃３３、１３３＃４１、１３３＃４９、１３３＃５７の入力ポートＰ１へ送信する。また、光カプラ１３２＃１−８は、ドロップ用波長選択スイッチ１３１＃１の出力ポートＰ８から導かれてくる光信号を分岐し、光クロスコネクト１３３＃８、１３３＃１６、１３３＃２４、１３３＃３２、１３３＃４０、１３３＃４８、１３３＃５６、１３３＃６４の入力ポートＰ１へ送信する。さらに、光カプラ１３２＃８−８は、ドロップ用波長選択スイッチ１３１＃８の出力ポートＰ８から導かれてくる光信号を分岐し、光クロスコネクト１３３＃８、１３３＃１６、１３３＃２４、１３３＃３２、１３３＃４０、１３３＃４８、１３３＃５６、１３３＃６４の入力ポートＰ８へ送信する。
【０１６８】
なお、光分岐挿入装置は、より多くの光クロスコネクト１３３、１４１を備えるようにしてもよい。例えば、光分岐挿入装置は、９６セットの光クロスコネクト１３３、１４１を備えるようにしてもよい。この場合、例えば、光スプリッタ１３２は、１２個の出力ポートを備え、光カプラ１４２は、１２個の入力ポートを備える。
【０１６９】
光パス＃３１〜＃３８は、光スプリッタ１３２＃１−１〜１３２＃８−８と光クロスコネクト１３３＃１〜１３３＃６４との間の光パスを模式的に表している。また、光パス＃３１〜＃３８は、光クロスコネクト１４１＃１〜１４１＃６４と光カプラ１４２＃１−１〜１４２＃８−８との間の光パスも模式的に表している。すなわち、光パス＃３１〜＃３８は、図面を見やすくするために、光スプリッタ１３２＃１−１〜１３２＃８−８から光クロスコネクト１３３＃１〜１３３＃６４へ光信号を送信する機能、および光クロスコネクト１４１＃１〜１４１＃６４から光カプラ１４２＃１−１〜１４２＃８−８へ光信号を送信する機能の双方を模式的に表している。
【０１７０】
光クロスコネクト１３３（＃１〜＃６４）は、それぞれ、光スプリッタ１３２＃１−１〜１３２＃８−８から出力される光信号を指定された端局（または、トランスポンダ）に導く。例えば、光クロスコネクト１３３＃１は、光スプリッタ１３２＃１−１、１３２＃２−１、１３２＃３−１、１３２＃４−１、１３２＃５−１、１３２＃６−１、１３２＃７−１、１３２＃８−１から導かれてくる光信号をスイッチングする。また、光クロスコネクト１３３＃２は、光スプリッタ１３２＃１−２、１３２＃２−２、１３２＃３−２、１３２＃４−２、１３２＃５−２、１３２＃６−２、１３２＃７−２、１３２＃８−２から導かれてくる光信号をスイッチングする。さらに、光クロスコネクト１３３＃６４は、光スプリッタ１３２＃１−８、１３２＃２−８、１３２＃３−８、１３２＃４−８、１３２＃５−８、１３２＃６−８、１３２＃７−８、１３２＃８−８から導かれてくる光信号をスイッチングする。
【０１７１】
なお、光クロスコネクト１３３は、８×８構成であり、図１８に示すように、各出力ポートに対してチューナブルフィルタＴＦを備えている。各チューナブルフィルタＴＦは、波長パス制御部２により指示される波長を抽出する。そして、クロスコネクト１３３の出力信号は、トランスポンダまたはトランスポンダと同等のインタフェースを介して端局へ送信される。
【０１７２】
各光クロスコネクト１４１（＃１〜＃６４）は、それぞれ、端局（または、トランスポンダ）から送信される光信号を、その光信号を出力する方路に対応する出力ポートに導く。例えば、方路＃１に出力する光信号は出力ポートＰ１に導かれ、方路＃８に出力する光信号は出力ポートＰ８に導かれる。
【０１７３】
なお、光クロスコネクト１４１は、８×８構成であり、図１２に示すように、各入力ポートに対してチューナブルフィルタＴＦを備えている。チューナブルフィルタＴＦは、端局（または、トランスポンダ）から送信される光信号のスペクトル幅を狭くするために設けられている。
【０１７４】
各光カプラ１４２（＃１−１〜＃８−８）は、それぞれ、対応する８個の光クロスコネクト１４１から導かれてくる光信号を合波する。例えば、光カプラ１４２＃１−１は、光クロスコネクト１４１＃１、１４１＃９、１４１＃１７、１４１＃２５、１４１＃３３、１４１＃４１、１４１＃４９、１４１＃５７の各出力ポートＰ１から導かれてくる光信号を合波する。
【０１７５】
各アド用波長選択スイッチ１４３（＃１〜＃８）は、それぞれ、対応する８個の光カプラ１４２から導かれてくる光信号から１または複数の所望の波長の光信号を選択する。例えば、アド用波長選択スイッチ１４３＃１は、光カプラ１４２＃１−１〜１４２＃１−８から導かれてくる光信号から１または複数の所望の波長の光信号を選択する。そして、アド用波長選択スイッチ１４３は、選択した波長の光信号を対応する波長選択スイッチ１０２に導く。アド用波長選択スイッチ１４３は、複数の波長を選択したときは、複数の光信号を合波して対応する波長選択スイッチ１０２に導く。
【０１７６】
上記構成の光分岐挿入装置において、方路＃Ｘ（Ｘ＝１〜８）のＷＤＭ光信号の中の波長λｉ（ｉ＝１〜９６）の光信号Ｘｉ、および、方路＃Ｙ（Ｙ＝１〜８）のＷＤＭ光信号の中の同じ波長λｉの光信号Ｙｉを、光クロスコネクト１３３＃１に収容される端局に導く場合には、ドロップ用波長選択スイッチ１３１＃Ｘは、以下のように制御される。
（１）入力ＷＤＭ光信号から波長λｉを選択する
（２）選択した波長λｉの光信号（すなわち、光信号Ｘｉ）を光スプリッタ１３２＃Ｘ−１に導く
【０１７７】
また、ドロップ用波長選択スイッチ１３１＃Ｙは、以下のように制御される。
（１）入力ＷＤＭ光信号から波長λｉを選択する
（２）選択した波長λｉの光信号（すなわち、光信号Ｙｉ）を光スプリッタ１３２＃Ｙ−１に導く
【０１７８】
上記制御により、光信号Ｘｉは、光スプリッタ１３２＃Ｘ−１から光クロスコネクト１３３＃１を含む複数の光クロスコネクトに導かれる。同様に、光信号Ｙｉは、光スプリッタ１３２＃Ｙ−１から光クロスコネクト１３３＃１を含む複数の光クロスコネクトに導かれる。このとき、光信号Ｘｉおよび光信号Ｙｉは、それぞれ、光クロスコネクト１３３＃１の入力ポートＰＸ、ＰＹに導かれる。そして、光クロスコネクト１３３＃１は、光信号Ｘｉおよび光信号Ｙｉをそれぞれ指定された端局（または、トランスポンダ）に導く。
【０１７９】
このように、図２５および図２７に示す第２の実施例の光分岐挿入装置においては、異なる方路Ｘ、Ｙから抽出した光信号Ｘｉ、Ｙｉは、異なる経路を介して光クロスコネクト１３３の異なる入力ポートに導かれてくる。したがって、光分岐挿入装置は、複数の同じ波長の光信号を抽出してそれぞれ対応する端局に送信することができる。すなわち、上述したColorless、Directionlessに加えてContentionlessも実現される。
【０１８０】
また、上記構成において、端局Ａ（または、トランスポンダＡ）から波長λｉ（ｉ＝１〜９６）を利用して送信される光信号Ａｉを方路＃Ｘ（Ｘ＝１〜８）へ出力すると共に、端局Ｂ（または、トランスポンダＢ）から同じ波長λｉを利用して送信される光信号Ｂｉを方路＃Ｙ（Ｙ＝１〜８）へ出力ものとする。この例では、端局Ａおよび端局Ｂは、光クロスコネクト１４１＃１に収容されているものとする。この場合、光信号Ａｉは、光クロスコネクト１４１＃１の出力ポートＰＸから出力され、光カプラ１４２＃Ｘ−１に導かれる。また、光信号Ｂｉは、光クロスコネクト１４１＃１の出力ポートＰＹから出力され、光カプラ１４２＃Ｙ−１に導かれる。
【０１８１】
光カプラ１４２＃Ｘ−１は、光信号Ａｉを他の波長の光信号と共にアド用波長選択スイッチ１４３＃Ｘに導く。アド用波長選択スイッチ１４３＃Ｘは、波長λｉを選択するように制御される。このとき、アド用波長選択スイッチ１４３＃Ｘは、方路Ｘへ出力する他の波長も合わせて選択することができる。また、波長選択スイッチ１０２＃Ｘも、波長λｉを選択するように制御される。この結果、端局Ａから出力される光信号Ａｉは、方路ＸのＷＤＭ光信号に挿入される。
【０１８２】
同様に、光カプラ１４２＃Ｙ−１は、光信号Ｂｉを他の波長の光信号と共にアド用波長選択スイッチ１４３＃Ｙに導く。アド用波長選択スイッチ１４３＃Ｙは、波長λｉを選択するように制御される。このとき、アド用波長選択スイッチ１４３＃Ｙは、方路Ｙへ出力する他の波長も合わせて選択することができる。また、波長選択スイッチ１０２＃Ｙも、波長λｉを選択するように制御される。この結果、端局Ｂから出力される光信号Ｂｉは、方路ＹのＷＤＭ光信号に挿入される。
【０１８３】
このように、図２５および図２７に示す第２の実施例の光分岐挿入装置においては、異なる方路に出力する光信号Ａｉ、Ｂｉは、光クロスコネクト１４１の異なるポートから出力され、異なる経路を介して対応する方路に導かれる。したがって、光分岐挿入装置は、複数の同じ波長の光信号をそれぞれ所望の方路に出力することができる。すなわち、上述したColorless、Directionlessに加えてContentionlessも実現される。
【０１８４】
図２８および図２９は、第３の実施例の構成を示す図である。第３の実施例の光分岐挿入装置は、第１の実施例と類似の構成を有している。ただし、第３の実施例においては、第１の実施例の光スプリッタ１０１および波長選択スイッチ１０２の代わりに、波長選択スイッチ２０１および波長選択スイッチ２０２が使用される。
【０１８５】
波長選択スイッチ２０１は、１５以上の出力ポートを備える。７つの出力ポートから出力される光信号は、それぞれ他の方路に導かれる。このとき、波長選択スイッチ２０１は、入力ＷＤＭ光信号の全ての波長を選択して他の方路に導くようにしてもよい。また、他の８つの出力ポートから出力される光信号は、それぞれ光カプラ１１２＃１〜１１２＃８に導かれる。このとき、波長選択スイッチ２０１は、端局が要求する光信号の波長のみを選択するようにしてもよい。
【０１８６】
波長選択スイッチ２０２は、１５以上の入力ポートを備える。７つの入力ポートには、それぞれ他の方路から入力されるＷＤＭ光信号が導かれる。また、他の８つの入力ポートには、それぞれ光スプリッタ１２３＃１〜１２３＃８から出力される光信号が導かれる。
【０１８７】
このように、第３の実施例の光分岐挿入装置は、図２５〜図２６に示す第１の実施例と比較すると、ドロップ用波長選択スイッチ１１１＃１〜１１１＃８、およびアド用波長選択スイッチ１２４＃１〜１２４＃８を備える必要はない。また、波長選択スイッチ２０１、２０２のポート数を増やせば、光分岐挿入装置は、より多くの方路を有することができる。
【０１８８】
図３０は、第４の実施例の構成を示す図である。第４の実施例の光分岐挿入装置は、第２の実施例と類似の構成を有している。なお、波長選択スイッチ２０１および波長選択スイッチ２０２は、第３の実施例と同様であり、図２８に示す通りである。
【０１８９】
第４の実施例では、波長選択スイッチ２０１の７つの出力ポートから出力される光信号はそれぞれ他の方路に導かれ、他の８つの出力ポートから出力される光信号は、それぞれ対応する８個の光スプリッタ１３２＃１−１〜１３２＃８−８に導かれる。また、波長選択スイッチ２０２の７つの入力ポートにはそれぞれ他の方路のＷＤＭ光信号が導かれ、他の８つの入力ポートには、それぞれ対応する光カプラ１４２＃１−１〜１４２＃８−８の出力光信号が導かれる。このように、第４の実施例においても、光分岐挿入装置は、ドロップ用波長選択スイッチ１３１＃１〜１３１＃８、およびアド用波長選択スイッチ１４３＃１〜１４３＃８を備える必要はない。
【０１９０】
＜光アンプの配置＞
実施形態の光分岐挿入装置においては、光デバイス（波長選択スイッチ、光クロスコネクト、光カプラ、光スプリッタ、チューナブルフィルタ、ＭＵＸ／ＤＭＵＸ等）で損失が発生する。この損失に起因して、例えば、受信器の光信号対雑音比特性が劣化し、伝送特性が劣化する。したがって、光分岐挿入装置の構成によっては、光デバイスの損失を補償するために、伝送路用の光アンプの他に光分岐挿入装置内に光アンプを設けることが好ましい。なお、伝送路用の光アンプは、例えば図２においては光アンプ１１Ｅ、１１Ｗに相当し、受信ＷＤＭ光信号を増幅するポストアンプおよび送信ＷＤＭ光信号を増幅するプリアンプとして動作する。以下、伝送路用の光アンプの他に設ける光アンプ（損失補償光アンプ）について検討する。
【０１９１】
光アンプは、一般的には、以下の要因を考慮して配置される。
（１）パワー制約
（２）利得レンジ
光アンプの総パワーは、例えば、標準品で＋19dBm以下、ハイエンドで＋22dBm以下である。光アンプの利得は、例えば、標準品で30dB以下、ハイエンドで35dB以下である。光ノード内の光信号対雑音比は、光アンプの利得およびＮＦ（Noise Figure）に基づいて算出される。
【０１９２】
なお、光伝送路の非線形効果の制約を満たすためには、光ノードの出力光パワー（すなわち、伝送路光ファイバの入力端での光パワー）は、信号のビットレート、ネットワークシステムのスパン数等に基づいて設計されることが好ましい。一例としては、光ノードの出力光パワーは、＋2.0dBm程度に設定される。
【０１９３】
図２５、図２６に示す光分岐挿入装置においては、パターン１として光アンプは以下のように配置される。すなわち、ドロップ信号を増幅する光アンプは、光カプラ１１２と波長デマルチプレクサ１１３との間に設けられる。アド信号を増幅する光アンプは、波長マルチプレクサ１２２と光スプリッタ１２３との間に設けられる。また、パターン２として光アンプは以下のように配置される。すなわち、ドロップ信号を増幅する光アンプは、光スプリッタ１０１とドロップ用波長選択スイッチ１１１との間に設けられる。アド信号を増幅する光アンプは、アド用波長選択スイッチ１２４と波長選択スイッチ１０２との間に設けられる。
【０１９４】
図２５、図２７に示す光分岐挿入装置においては、パターン１として光アンプは以下のように配置される。すなわち、ドロップ信号を増幅する光アンプは、ドロップ用波長選択スイッチ１３１と光スプリッタ１３２との間に設けられる。アド信号を増幅する光アンプは、光カプラ１４２とアド用波長選択スイッチ１４３との間に設けられる。また、パターン２として光アンプは以下のように配置される。すなわち、ドロップ信号を増幅する光アンプは、光スプリッタ１０１とドロップ用波長選択スイッチ１３１との間に設けられる。アド信号を増幅する光アンプは、アド用波長選択スイッチ１４３と波長選択スイッチ１０２との間に設けられる。
【０１９５】
いずれのケースにおいても、損失補償光アンプは、上述の要因を考慮して配置されることが好ましい。ただし、光分岐挿入装置の構成によっては、損失補償光アンプを設けない方が好ましいこともある。また、損失補償光アンプの配置および損失補償光アンプを設けるか否かは、光分岐挿入装置のコストを考慮して設計してもよい。
【０１９６】
以上の各実施例を含む実施形態に関し、さらに以下の付記を開示する。
（付記１）
第１および第２の方路を有する光分岐挿入装置であって、
光クロスコネクトと、
前記光クロスコネクトの複数の出力ポートに接続される第１の合波デバイスと、
前記光クロスコネクトの他の複数の出力ポートに接続される第２の合波デバイスと、
前記第１の合波デバイスから出力される光信号の少なくとも一部を含むＷＤＭ光信号を生成して前記第１の方路へ導く第１の波長選択スイッチと、
前記第２の合波デバイスから出力される光信号の少なくとも一部を含むＷＤＭ光信号を生成して前記第２の方路へ導く第２の波長選択スイッチ、
を備える光分岐挿入装置。
（付記２）
付記１に記載の光分岐挿入装置であって、
前記光クロスコネクトは、入力光信号を前記第１の方路へ出力するときは、前記入力光信号を前記第１の合波デバイスに導き、入力光信号を前記第２の方路へ出力するときは、前記入力光信号を前記第２の合波デバイスに導く
ことを特徴とする光分岐挿入装置。
（付記３）
付記１に記載の光分岐挿入装置であって、
前記第１および第２の合波デバイスは、それぞれ、光カプラを備える
ことを特徴とする光分岐挿入装置。
（付記４）
付記３に記載の光分岐挿入装置であって、
前記光クロスコネクトの複数の入力ポートに対して、それぞれ指定された通過波長を有する複数の光フィルタをさらに備える
ことを特徴とする光分岐挿入装置。
（付記５）
付記３に記載の光分岐挿入装置であって、
前記光クロスコネクトの各出力ポートに対して、複数の入力ポートから導かれてくる複数の光信号を合波する光カプラが設けられている
ことを特徴とする光分岐挿入装置。
（付記６）
付記１に記載の光分岐挿入装置であって、
前記第１および第２の合波デバイスは、それぞれ、波長マルチプレクサを備え、
前記波長マルチプレクサの複数の入力ポートには、互いに異なる通過波長が設定されており、
前記光クロスコネクトは、入力光信号を、前記入力光信号の波長に対応する波長マルチプレクサの入力ポートに導く
ことを特徴とする光分岐挿入装置。
（付記７）
第１および第２の方路を有する光分岐挿入装置であって、
光クロスコネクトと、
前記光クロスコネクトの複数の出力ポートに接続される合波デバイスと、
前記合波デバイスの出力光信号から第１および第２の分岐光信号を生成する光スプリッタと、
前記第１の分岐光信号の少なくとも一部を含むＷＤＭ光信号を生成して前記第１の方路へ導く第１の波長選択スイッチと、
前記第２の分岐光信号の少なくとも一部を含むＷＤＭ光信号を生成して前記第２の方路へ導く第２の波長選択スイッチ、
を備える光分岐挿入装置。
（付記８）
光クロスコネクトと、
入力ＷＤＭ光信号からドロップ光信号を生成するドロップ信号生成部と、
前記ドロップ光信号を分岐して前記光クロスコネクトの複数の入力ポートに導く光スプリッタと、
前記光クロスコネクトから出力される各ドロップ光信号からそれぞれ指定された波長を抽出する複数の光フィルタ、
を備える光分岐挿入装置。
（付記９）
付記８に記載の光分岐挿入装置であって、
前記ドロップ信号生成部は、前記入力ＷＤＭ光信号から２以上の波長を選択することで前記ドロップ光信号を生成する波長選択スイッチを備える
ことを特徴とする波長分岐挿入装置。
（付記１０）
付記９に記載の光分岐挿入装置であって、
前記波長選択スイッチは、前記入力ＷＤＭ光信号から第１および第２の波長を選択することで前記ドロップ光信号を生成し、
前記複数の光フィルタの中の第１の光フィルタは、前記ドロップ光信号から前記第１の波長を抽出し、前記複数の光フィルタの中の第２の光フィルタは、前記ドロップ光信号から前記第２の波長を抽出する
ことを特徴とする波長分岐挿入装置。
（付記１１）
付記８に記載の光分岐挿入装置であって、
前記ドロップ信号生成部は、前記入力ＷＤＭ光信号を分岐して前記ドロップ光信号として出力する
ことを特徴とする波長分岐挿入装置。
（付記１２）
入力ＷＤＭ光信号の中の２以上の波長を含むドロップ光信号を生成するドロップ信号生成部と、
入力ポートから入力される前記ドロップ光信号を分岐して複数の出力ポートに導く光クロスコネクトと、
前記光クロスコネクトから出力される各ドロップ光信号からそれぞれ指定された波長を抽出する複数の光フィルタ、
を備える光分岐挿入装置。
（付記１３）
第１および第２の方路を有する光分岐挿入装置であって、
複数の光クロスコネクトと、
前記第１の方路から入力されるＷＤＭ光信号の少なくとも一部を含む第１のドロップ光信号を分岐して前記複数の光クロスコネクトに導く第１の光スプリッタと、
前記第２の方路から入力されるＷＤＭ光信号の少なくとも一部を含む第２のドロップ光信号を分岐して前記複数の光クロスコネクトに導く第２の光スプリッタと、
前記複数の光クロスコネクトから出力される前記第１および第２のドロップ光信号からそれぞれ指定された波長の光信号を抽出する複数の光フィルタ、
を備える光分岐挿入装置。
（付記１４）
第１および第２の方路を有する光分岐挿入装置であって、
前記第１の方路から入力されるＷＤＭ光信号の少なくとも一部および前記第２の方路から入力されるＷＤＭ光信号の少なくとも一部を合波する光カプラと、
前記光カプラから出力される光信号を波長ごとに分波して複数の光信号を生成する波長デマルチプレクサと、
前記波長デマルチプレクサにより得られる複数の光信号の送信先を切り替える光クロスコネクト、
を備える光分岐挿入装置。
（付記１５）
第１および第２の方路を有する光分岐挿入装置において使用される光アド方法であって、
光クロスコネクトの複数の出力ポートから出力される複数の光信号を合波して第１の合波光信号を生成し、
前記光クロスコネクトの他の複数の出力ポートから出力される複数の光信号を合波して第２の合波光信号を生成し、
前記第１の合波光信号の少なくとも一部を含むＷＤＭ光信号を生成して前記第１の方路へ導き、
前記第２の合波光信号の少なくとも一部を含むＷＤＭ光信号を生成して前記第２の方路へ導く、
ことを特徴とする光アド方法。
（付記１６）
第１および第２の方路を有する光分岐挿入装置において使用される光アド方法であって、
光クロスコネクトの複数の出力ポートから出力される複数の光信号を合波して合波光信号を生成し、
前記合波光信号から第１および第２の分岐光信号を生成し、
前記第１の分岐光信号の少なくとも一部を含むＷＤＭ光信号を生成して前記第１の方路へ導き、
前記第２の分岐光信号の少なくとも一部を含むＷＤＭ光信号を生成して前記第２の方路へ導く、
ことを特徴とする光アド方法。
（付記１７）
光分岐挿入装置において使用される光ドロップ方法であって、
入力ＷＤＭ光信号からドロップ光信号を生成し、
前記ドロップ光信号を分岐して光クロスコネクトの複数の入力ポートに導き、
前記光クロスコネクトから出力される各ドロップ光信号からそれぞれ指定された波長を抽出する、
ことを特徴とする光ドロップ方法。
（付記１８）
第１および第２の方路を有する光分岐挿入装置において使用される光ドロップ方法であって、
前記第１の方路から入力されるＷＤＭ光信号の少なくとも一部を含む第１のドロップ光信号を分岐して複数の光クロスコネクトに導き、
前記第２の方路から入力されるＷＤＭ光信号の少なくとも一部を含む第２のドロップ光信号を分岐して前記複数の光クロスコネクトに導き、
前記複数の光クロスコネクトから出力される前記第１および第２のドロップ光信号からそれぞれ指定された波長の光信号を抽出する、
ことを特徴とする光ドロップ方法。
（付記１９）
第１および第２の方路を有する光分岐挿入装置であって、
アド用光クロスコネクトと、
前記アド用光クロスコネクトの複数の出力ポートに接続される第１の合波デバイスと、
前記アド用光クロスコネクトの他の複数の出力ポートに接続される第２の合波デバイスと、
前記第１の合波デバイスから出力される光信号の少なくとも一部を含むＷＤＭ光信号を生成して前記第１の方路へ導く第１の波長選択スイッチと、
前記第２の合波デバイスから出力される光信号の少なくとも一部を含むＷＤＭ光信号を生成して前記第２の方路へ導く第２の波長選択スイッチと、
ドロップ用光クロスコネクトと、
前記第１または第２の方路からの入力ＷＤＭ光信号からドロップ光信号を生成するドロップ信号生成部と、
前記ドロップ光信号を分岐して前記ドロップ用光クロスコネクトの複数の入力ポートに導く光スプリッタと、
前記ドロップ用光クロスコネクトから出力される各ドロップ光信号からそれぞれ指定された波長を抽出する複数の光フィルタ、
を有する光分岐挿入装置。
（付記２０）
複数の光分岐挿入装置を備えるＷＤＭネットワークシステムであって、
各光分岐挿入装置は、第１および第２の方路を有し、
各光分岐挿入装置は、
アド用光クロスコネクトと、
前記アド用光クロスコネクトの複数の出力ポートに接続される第１の合波デバイスと、
前記アド用光クロスコネクトの他の複数の出力ポートに接続される第２の合波デバイスと、
前記第１の合波デバイスから出力される光信号の少なくとも一部を含むＷＤＭ光信号を生成して前記第１の方路へ導く第１の波長選択スイッチと、
前記第２の合波デバイスから出力される光信号の少なくとも一部を含むＷＤＭ光信号を生成して前記第２の方路へ導く第２の波長選択スイッチと、
ドロップ用光クロスコネクトと、
前記第１または第２の方路からの入力ＷＤＭ光信号からドロップ光信号を生成するドロップ信号生成部と、
前記ドロップ光信号を分岐して前記ドロップ用光クロスコネクトの複数の入力ポートに導く光スプリッタと、
前記ドロップ用光クロスコネクトから出力される各ドロップ光信号からそれぞれ指定された波長を抽出する複数の光フィルタ、を有する
ことを特徴とするＷＤＭネットワークシステム。
【符号の説明】
【０１９７】
１  光分岐挿入装置
２  波長パス制御部
１２Ｅ、１２Ｗ  光スプリッタ
１３Ｅ、１３Ｗ  波長選択スイッチ
１４Ｅ、１４Ｗ  ドロップ用波長選択スイッチ
１５Ｅ、１５Ｗ  光スプリッタ
１６、２２  光クロスコネクト
１７＃１〜１７＃ｎ、２１＃１〜２１＃ｎ  チューナブルフィルタ
２３Ｅ、２３Ｗ  光カプラ
２４Ｅ、２４Ｗ  アド用波長選択スイッチ
４１  波長マルチプレクサ
４２  合波デバイス
４３  光カプラ
４６  波長デマルチプレクサ
４７  光カプラ
【図１】
0005614129.tif 000002
【図２】
0005614129.tif 000003
【図３】
0005614129.tif 000004
【図４】
0005614129.tif 000005
【図５】
0005614129.tif 000006
【図６】
0005614129.tif 000007
【図７】
0005614129.tif 000008
【図８】
0005614129.tif 000009
【図９】
0005614129.tif 000010
【図１０】
0005614129.tif 000011
【図１１】
0005614129.tif 000012
【図１２】
0005614129.tif 000013
【図１３】
0005614129.tif 000014
【図１４】
0005614129.tif 000015
【図１５】
0005614129.tif 000016
【図１６】
0005614129.tif 000017
【図１７】
0005614129.tif 000018
【図１８】
0005614129.tif 000019
【図１９】
0005614129.tif 000020
【図２０】
0005614129.tif 000021
【図２１】
0005614129.tif 000022
【図２２】
0005614129.tif 000023
【図２３】
0005614129.tif 000024
【図２４】
0005614129.tif 000025
【図２５】
0005614129.tif 000026
【図２６】
0005614129.tif 000027
【図２７】
0005614129.tif 000028
【図２８】
0005614129.tif 000029
【図２９】
0005614129.tif 000030
【図３０】
0005614129.tif 000031